(57)【要約】  情報送受信方法および装置が開示され、送信方法は、制御リソースセットの構成情報を物理報知チャネル上で搬送することを含み、構成情報を用いて、制御リソースセットの時間領域位置情報および周波数領域位置情報の少なくとも一方が端末に対して示され、送信方法はさらに、構成情報に従って制御リソースセットを端末に送信することを含む。
2021503853.tif 000002
【特許請求の範囲】
【請求項１】
情報送信方法であって、
制御リソースセットの構成情報を物理報知チャネル上で搬送することを備え、前記構成情報を用いて、前記制御リソースセットの時間領域位置情報および周波数領域位置情報の少なくとも一方が端末に対して示され、前記方法はさらに、
前記構成情報に従って前記制御リソースセットを前記端末に送信することを備える、方法。
【請求項２】
前記制御リソースセットの前記構成情報は前記制御リソースセットの帯域幅情報を備える、請求項１に記載の方法。
【請求項３】
前記帯域幅情報は、最小チャネル帯域幅および最小端末帯域幅の少なくとも一方を備える、請求項２に記載の方法。
【請求項４】
前記制御リソースセットの前記構成情報は前記制御リソースセットの前記周波数領域位置情報を備え、前記周波数領域位置情報は前記制御リソースセットと同期信号ブロックとの間の周波数オフセットによって示される、請求項１に記載の方法。
【請求項５】
前記制御リソースセットの前記周波数領域位置情報は、
Ｍ×ＳＣSSBである、前記制御リソースセットの中心周波数と前記同期信号ブロックの中心周波数との間のオフセット、
（ＢＷCORESET−ＢＷSSB）／２−Ｍ×ＳＣSSBである、前記制御リソースセットの中心周波数と前記同期信号ブロックの中心周波数との間のオフセット、
（ＢＷCORESET−ＢＷSSB）／２−（１２×ＳＣCORESET−Ｍ×ＳＣSSB）である、前記制御リソースセットの中心周波数と前記同期信号ブロックの中心周波数との間のオフセット、
（ＢＷCORESET＋ＢＷSSB）／２＋Ｍ×ＳＣSSBである、前記制御リソースセットの中心周波数と前記同期信号ブロックの中心周波数との間のオフセット、および
（ＢＷCORESET＋ＢＷSSB）／２＋（１２×ＳＣCORESET＋Ｍ×ＳＣSSB）である、前記制御リソースセットの中心周波数と前記同期信号ブロックの中心周波数との間のオフセット
の１つによって示され、
Ｍは前記同期信号ブロックとキャリア物理リソースブロックグリッド（ＰＲＢグリッド）との間の周波数領域オフセットにおける同期信号ブロックサブキャリアの数であり、かつ整数であり、ＳＣCORESETは制御リソースセットサブキャリアの周波数領域幅であり、ＳＣSSBは同期信号ブロックサブキャリアの周波数領域幅であり、ＢＷCORESETは前記制御リソースセットの帯域幅であり、ＢＷSSBは前記同期信号ブロックの帯域幅である、請求項４に記載の方法。
【請求項６】
前記制御リソースセットの前記構成情報は前記制御リソースセットの前記時間領域位置情報を備え、前記時間領域位置情報は、以下の情報、すなわち、前記制御リソースセットが存在するスロットの情報、およびスロット内の前記制御リソースセットが占有するシンボルの位置情報、の少なくとも一方を備える、請求項１に記載の方法。
【請求項７】
前記スロット内の前記制御リソースセットが占有する前記シンボルの前記位置情報は、前記スロット内の前記制御リソースセットが占有するシンボルの開始シンボルインデックスと、前記スロット内の前記制御リソースセットが占有するシンボルの数とを備える、請求項６に記載の方法。
【請求項８】
前記制御リソースセットが存在する前記スロットの前記情報は、
前記制御リソースセットを同期信号ブロックを含むスロットで送信すること、
前記制御リソースセットを前記同期信号ブロックを含まないスロットで送信すること、および
前記制御リソースセットを、前記同期信号ブロックを含む前記スロットおよび前記同期信号ブロックを含まない前記スロットの両方で送信すること
の１つを備える、請求項６に記載の方法。
【請求項９】
前記制御リソースセットの前記構成情報をさらに用いて、前記制御リソースセットが前記同期信号ブロックを含む前記スロットで送信されるか否か、または前記制御リソースセットが前記同期信号ブロックを含まない前記スロットで送信されるか否かが示される、請求項８に記載の方法。
【請求項１０】
前記制御リソースセットが前記同期信号ブロックを含む前記スロットおよび前記同期信号ブロックを含まない前記スロットの両方で送信される場合、前記同期信号ブロックを含む前記スロットおよび前記同期信号ブロックを含まない前記スロットの両方における前記制御リソースセットについて同じリソースマッピング規則が採用される、請求項８に記載の方法。
【請求項１１】
前記制御リソースセットの前記構成情報は前記制御リソースセットのモニタリングウィンドウ構成情報を備え、前記制御リソースセットの前記モニタリングウィンドウ構成情報は、以下の情報、すなわち、前記制御リソースセットのモニタリング周期、モニタリングウィンドウの時間領域継続期間、隣接するモニタリングウィンドウ同士の間の時間領域オフセット、およびモニタリングウィンドウの開始位置、の少なくとも１つを備え、前記制御リソースセットのモニタリングウィンドウは前記制御リソースセットの少なくとも１度のモニタリング機会を備える、請求項１に記載の方法。
【請求項１２】
前記制御リソースセットの前記モニタリングウィンドウは同期信号ブロックに対応する、請求項１１に記載の方法。
【請求項１３】
前記制御リソースセットの前記モニタリングウィンドウの前記時間領域継続期間は１スロット以上である、請求項１１に記載の方法。
【請求項１４】
前記隣接するモニタリングウィンドウ同士の間の前記時間領域オフセットは、０、前記モニタリングウィンドウの前記時間領域継続期間、および前記モニタリングウィンドウの前記時間領域継続期間の１／Ｘ、の少なくとも一つを備え、Ｘは１よりも大きい整数であり、Ｘの値は予め定められたプロトコルによって予め定義されているかまたはシグナリングによって示される、請求項１１に記載の方法。
【請求項１５】
前記制御リソースセットの前記モニタリングウィンドウの前記時間領域継続期間が１スロットである場合は、前記隣接するモニタリングウィンドウ同士の間の前記時間領域オフセットは、前記モニタリングウィンドウの前記時間領域継続期間、または前記モニタリングウィンドウの前記時間領域継続期間の１／Ｘであり、
前記制御リソースセットの前記モニタリングウィンドウの前記時間領域継続期間が１スロットよりも長い場合は、前記隣接するモニタリングウィンドウ同士の間の前記時間領域オフセットは、０、または前記モニタリングウィンドウの前記時間領域継続期間の１／Ｘである、請求項１３または１４に記載の方法。
【請求項１６】
前記モニタリングウィンドウの前記開始位置は、前記モニタリングウィンドウの前記開始位置と同期信号ブロックの開始スロットとの間の時間領域オフセットによって示され、または前記モニタリングウィンドウの前記開始位置は固定的に構成される、請求項１１に記載の方法。
【請求項１７】
前記制御リソースセットは、残りの最小限のシステム情報（ＲＭＳＩ）の共通の制御リソースセット、およびページング情報の共通の制御リソースセット、の一方である、請求項１に記載の方法。
【請求項１８】
情報受信方法であって、
制御リソースセットの構成情報を受信することを備え、前記制御リソースセットの前記構成情報は物理報知チャネル上で搬送され、前記構成情報を用いて、前記制御リソースセットの時間領域位置情報および周波数領域位置情報の少なくとも一方が示され、前記方法はさらに、
前記構成情報に従って前記制御リソースセットを受信することを備える、方法。
【請求項１９】
前記制御リソースセットの前記構成情報は前記制御リソースセットの帯域幅情報を備える、請求項１８に記載の方法。
【請求項２０】
前記制御リソースセットの前記構成情報は前記制御リソースセットの前記周波数領域位置情報を備え、前記周波数領域位置情報は前記制御リソースセットと同期信号ブロックとの間の周波数オフセットによって示される、請求項１８に記載の方法。
【請求項２１】
前記制御リソースセットの前記周波数領域位置情報は、
Ｍ×ＳＣSSBである、前記制御リソースセットの中心周波数と前記同期信号ブロックの中心周波数との間のオフセット、
（ＢＷCORESET−ＢＷSSB）／２−Ｍ×ＳＣSSBである、前記制御リソースセットの中心周波数と前記同期信号ブロックの中心周波数との間のオフセット、
（ＢＷCORESET−ＢＷSSB）／２−（１２×ＳＣCORESET−Ｍ×ＳＣSSB）である、前記制御リソースセットの中心周波数と前記同期信号ブロックの中心周波数との間のオフセット、
（ＢＷCORESET＋ＢＷSSB）／２＋Ｍ×ＳＣSSBである、前記制御リソースセットの中心周波数と前記同期信号ブロックの中心周波数との間のオフセット、および
（ＢＷCORESET＋ＢＷSSB）／２＋（１２×ＳＣCORESET＋Ｍ×ＳＣSSB）である、前記制御リソースセットの中心周波数と前記同期信号ブロックの中心周波数との間のオフセット
の１つによって示され、
Ｍは前記同期信号ブロックとキャリア物理リソースブロックグリッド（ＰＲＢグリッド）との間の周波数領域オフセットにおける同期信号ブロックサブキャリアの数であり、Ｍは整数であり、ＳＣCORESETは制御リソースセットサブキャリアの周波数領域幅であり、ＳＣSSBは同期信号ブロックサブキャリアの周波数領域幅であり、ＢＷCORESETは制御リソースセット帯域幅であり、ＢＷSSBは同期信号ブロック帯域幅である、請求項２０に記載の方法。
【請求項２２】
前記制御リソースセットの前記構成情報は前記制御リソースセットの前記時間領域位置情報を備え、前記時間領域位置情報は、以下の情報、すなわち、前記制御リソースセットが存在するスロットの情報、およびスロット内の前記制御リソースセットが占有するシンボルの位置情報、の少なくとも一方を備える、請求項１８に記載の方法。
【請求項２３】
前記制御リソースセットの前記構成情報は前記制御リソースセットのモニタリングウィンドウ構成情報を備え、前記制御リソースセットの前記モニタリングウィンドウ構成情報は、以下の情報、すなわち、前記制御リソースセットのモニタリング周期、モニタリングウィンドウの時間領域継続期間、隣接するモニタリングウィンドウ同士の間の時間領域オフセット、および前記モニタリングウィンドウの開始位置、の少なくとも１つを備え、前記制御リソースセットのモニタリングウィンドウは前記制御リソースセットの少なくとも１度のモニタリング機会を備える、請求項１８に記載の方法。
【請求項２４】
情報送信装置であって、
制御リソースセットの構成情報を物理報知チャネル上で搬送するように構成された構成モジュールを備え、前記構成情報を用いて、前記制御リソースセットの時間領域位置情報および周波数領域位置情報の少なくとも一方が端末に対して示され、前記装置はさらに、
前記構成情報に従って前記制御リソースセットを送信するように構成された送信モジュールを備える、装置。
【請求項２５】
情報受信装置であって、
制御リソースセットの構成情報を受信するように構成された第１の受信モジュールを備え、前記制御リソースセットの前記構成情報は物理報知チャネル上で搬送され、前記構成情報を用いて、前記制御リソースセットの時間領域位置情報および周波数領域位置情報の少なくとも一方が示され、前記装置はさらに、
前記構成情報に従って前記制御リソースセットを受信するように構成された第２の受信モジュールを備える、装置。
【請求項２６】
記憶媒体であって、格納されたプログラムを備え、前記プログラムを走らせると請求項１から２３のいずれか１項に記載の方法が実行される、記憶媒体。
【請求項２７】
プロセッサであって、プログラムを走らせるように構成され、前記プロセッサ上で前記プログラムを走らせると請求項１から２３のいずれか１項に記載の方法が実行される、プロセッサ。
【発明の詳細な説明】
【技術分野】
【０００１】
関連出願の相互参照
本願は、２０１７年１１月１７日に出願された中国特許出願第２０１７１１１４８１２６．３号に基づく優先権を主張し、その内容全体を本明細書に引用により援用する。
【０００２】
技術分野
本願は、たとえば情報送受信方法および装置などの通信分野に関する。
【背景技術】
【０００３】
背景
新世代の無線通信システム（New Radio：ＮＲ）では、システム情報は最小限のシステム情報（minimum SI）とそれ以外のシステム情報（other SI）とに分類される。最小限のシステム情報は、物理報知チャネル（Physical Broadcast Channel：ＰＢＣＨ）上で搬送される「マスタシステム情報（Master Information Block：ＭＩＢ）」と、物理下りリンク共有チャネル上で搬送される「残りの最小限のシステム情報（remaining minimum SI：ＲＭＳＩ）」とに分類され、マスタシステム情報を用いてセルの基本的なシステムパラメータが与えられ、残りの最小限のシステム情報を用いて、初期アクセス要求の送信構成、および初期アクセス応答のメッセージ受信構成など、初期アクセスに関連する構成情報が与えられる。報知する必要があるそれ以外のシステム情報は、それ以外のシステム情報と称される。
【０００４】
ＲＭＳＩは物理下りリンク制御チャネル（Physical Downlink Control Channel：ＰＤＣＣＨ）によってスケジュールされ、物理下りリンク共有チャネル（Physical Downlink Shared Channel：ＰＤＳＣＨ）上で搬送される。ＲＭＳＩスケジューリング情報が存在する共通の制御−リソースセット（control-resource set：ＣＯＲＥＳＥＴ）の時間および周波数領域位置はＰＢＣＨ内に示され得る。
【０００５】
ＮＲシステムでは、ＰＢＣＨは同期信号（Synchronization Signal：ＳＳ）／物理報知チャネルブロック（ＰＢＣＨブロック）で搬送されて送信され、１つの同期周期は複数のＳＳ／ＰＢＣＨブロックを含み、異なるＳＳ／ＰＢＣＨブロックは同じまたは異なるビーム方向またはポートの同期報知信号を共に送信して、想定領域の完全なカバレッジを実現し得る。異なるビーム方向およびポートのＰＢＣＨは組合された受信を必要とするため、表示情報をＰＢＣＨに挿入することを考慮する際には情報内容が同じであることを保証する必要がある。
【０００６】
データ送信の柔軟性を保証するために、異なるＳＳ／ＰＢＣＨブロックの時間領域位置とそれぞれの対応するＲＭＳＩ共通制御リソースセットの時間領域位置との関係は異なる場合があり、どのようにしてＰＢＣＨの組合された受信に影響を及ぼさずにＲＭＳＩ共通制御リソースセットの時間領域位置を効果的に示すかについての有効な解決策は関連技術に存在しない。
【発明の概要】
【発明が解決しようとする課題】
【０００７】
概要
本願の実施形態は、ＰＢＣＨの組合された受信に影響を及ぼさずに制御リソースセットの時間および周波数領域リソース位置を効果的に示すことができないという関連技術における技術的課題を少なくとも解決するための情報送受信方法および装置を提供する。
【０００８】
本願の一実施形態によると、情報送信方法が提供され、当該方法は、制御リソースセットの構成情報を物理報知チャネル上で搬送することを含み、構成情報を用いて、制御リソースセットの時間領域位置情報および周波数領域位置情報の少なくとも一方が端末に対して示され、当該方法はさらに、構成情報に従って制御リソースセットを端末に送信することを含む。
【０００９】
本願の一実施形態によると、別の情報受信方法が提供され、当該方法は、制御リソースセットの構成情報を受信することを含み、制御リソースセットの構成情報は物理報知チャネル上で搬送され、構成情報を用いて、制御リソースセットの時間領域位置情報および周波数領域位置情報の少なくとも一方が示され、当該方法はさらに、構成情報に従って制御リソースセットを受信することを含む。
【００１０】
本願の別の実施形態によると、情報送信装置が提供され、当該装置は、制御リソースセットの構成情報を物理報知チャネル上で搬送するように構成された構成モジュールを含み、構成情報を用いて、制御リソースセットの時間領域位置情報および周波数領域位置情報の少なくとも一方が端末に対して示され、当該装置はさらに、構成情報に従って制御リソースセットを送信するように構成された送信モジュールを含む。
【００１１】
本願の別の実施形態によると、別の情報受信装置が提供され、当該装置は、制御リソースセットの構成情報を受信するように構成された第１の受信モジュールを含み、制御リソースセットの構成情報は物理報知チャネル上で搬送され、構成情報を用いて、制御リソースセットの時間領域位置情報および周波数領域位置情報の少なくとも一方が示され、当該装置はさらに、構成情報に従って制御リソースセットを受信するように構成された第２の受信モジュールを含む。
【００１２】
本願のさらなる実施形態によると、記憶媒体がさらに提供され、当該記憶媒体は格納されたプログラムを含み、プログラムを走らせると上述のいずれかに記載の方法が実行される。
【００１３】
本願のさらなる実施形態によると、プロセッサがさらに提供され、当該プロセッサはプログラムを走らせるように構成され、プログラムを走らせると上述のいずれかに記載の方法が実行される。
【００１４】
本明細書に記載される図面は、本願のさらなる理解を提供するために、かつ本願の一部を形成するために使用され、本願の例示的な実施形態およびその記載は本願を説明するために使用され、本願を制限することは意図していない。
【図面の簡単な説明】
【００１５】
【図１】本願の一実施形態に係る情報送信方法のフローチャートの図である。
【図２】本願の一実施形態に係る情報受信方法のフローチャートの図である。
【図３】本願の一実施形態に係る情報送信装置の構造ブロック図である。
【図４】本願の一実施形態に係る情報受信装置の構造ブロック図である。
【図５】本実施形態に係る同期信号ブロックの概略図である。
【図６】本実施形態に係る周波数領域位置が制御リソースセットと同期信号ブロックとの間の周波数オフセットによって示される概略図Ｉである。
【図７】本実施形態に係る周波数領域位置が制御リソースセットと同期信号ブロックとの間の周波数オフセットによって示される概略図ＩＩである。
【図８】本実施形態に係る周波数領域位置が制御リソースセットと同期信号ブロックとの間の周波数オフセットによって示される概略図ＩＩＩである。
【図９】本実施形態に係る周波数領域位置が制御リソースセットと同期信号ブロックとの間の周波数オフセットによって示される概略図ＩＶである。
【図１０】本実施形態に係る周波数領域位置が制御リソースセットと同期信号ブロックとの間の周波数オフセットによって示される概略図Ｖである。
【図１１】本実施形態に係る周波数領域位置が制御リソースセットと同期信号ブロックとの間の周波数オフセットによって示される概略図ＶＩである。
【図１２】本実施形態に係るＣＯＲＥＳＥＴがＳＳＢが存在するスロットでのみ送信される概略構造図である。
【図１３】本実施形態に係る複数の同期信号ブロック送信周期の使用の概略図である。
【図１４】本実施形態に係る現在の同期信号ブロック（ＳＳＢ）のスロットへのマッピングパターンの概略図である。
【図１５】本実施形態に係るスロット内のＣＯＲＥＳＥＴが占有するシンボルの位置情報の概略図Ｉである。
【図１６】本実施形態に係るスロット内のＣＯＲＥＳＥＴが占有するシンボルの位置情報の概略図ＩＩである。
【図１７】本実施形態に係るＣＯＲＥＳＥＴがＳＳＢの外部のスロットにマッピングされる概略図Ｉである。
【図１８】本実施形態に係るＣＯＲＥＳＥＴがＳＳＢの外部のスロットにマッピングされる概略図ＩＩである。
【図１９】本実施形態に係るＣＯＲＥＳＥＴが同期信号ブロックを含むスロットで送信される概略図である。
【図２０】本実施形態に係るＣＯＲＥＳＥＴが同期信号ブロックを含まないスロットで送信される概略図である。
【図２１】本実施形態に係るＣＯＲＥＳＥＴが同期信号ブロックを含むスロットで送信され、かつ同期信号ブロックを含まないスロットで送信される概略図である。
【図２２】本実施形態に係るＣＯＲＥＳＥＴが同期信号ブロックが存在するスロットで送信される概略図である。
【図２３】本実施形態に係るＣＯＲＥＳＥＴが同期信号ブロックを含まないスロットで送信される概略図Ｉである。
【図２４】本実施形態に係るＣＯＲＥＳＥＴが同期信号ブロックを含まないスロットで送信される概略図ＩＩである。
【図２５】本実施形態に係るすべての同期信号ブロックが同じＣＯＲＥＳＥＴモニタリングウィンドウに対応する概略図である。
【図２６】本実施形態に係る複数の同期信号ブロックが１つのＣＯＲＥＳＥＴモニタリングウィンドウに対応する概略図である。
【発明を実施するための形態】
【００１６】
実施形態の説明
本願を実施形態とともに図面を参照して以下に詳細に記載する。なお、本願の実施形態および実施形態における特徴は矛盾が生じない範囲で互いに組合され得る。なお、本願の明細書、請求項、および添付の図面における「第１の」、「第２の」などの用語は同様のもの同士を区別することを意図しており、必ずしも具体的な順序またはシーケンスを示しているとは限らない。
【００１７】
実施形態１
本願の実施形態では、実行可能なネットワークアーキテクチャは基地局および端末を含み、基地局と端末との間で情報交換が行なわれる。
【００１８】
上記のネットワークアーキテクチャに適用される情報送信方法が本実施形態において提供される。図１は本願の一実施形態に係る情報送信方法のフローチャートであり、図１に示されるように、当該フローはステップＳ１０２およびステップＳ１０４を含む。ステップＳ１０２において、制御リソースセットの構成情報が物理報知チャネル上で搬送される。
【００１９】
構成情報を用いて、制御リソースセットの時間領域位置情報および周波数領域位置情報の少なくとも一方が端末に対して示される。
【００２０】
ステップＳ１０４において、構成情報に従って制御リソースセットが端末に送信される。
【００２１】
上記のステップを介して、制御リソースセットの構成情報を物理報知チャネル上で搬送し、構成情報に従って制御リソースセットを端末に送信することにより、ＰＢＣＨの組合された受信に影響を及ぼさずに制御リソースセットの時間および周波数領域リソース位置を効果的に示すことができないという関連技術における技術的課題が解決され、データ送信の柔軟性が向上する。
【００２２】
一実施形態では、上記のステップの実行主体は基地局などのネットワーク側にあり得るが、これに限定されない。
【００２３】
一実施形態では、制御リソースセットの構成情報は制御リソースセットの帯域幅情報を含む。
【００２４】
一実施形態では、帯域幅情報は、最小チャネル帯域幅および最小端末帯域幅の少なくとも一方を含む。
【００２５】
一実施形態では、制御リソースセットの構成情報は制御リソースセットの周波数領域位置情報を含み、周波数領域位置情報は制御リソースセットと同期信号ブロックとの間の周波数オフセットによって示される。
【００２６】
一実施形態では、制御リソースセットの周波数領域位置情報は、
Ｍ×ＳＣSSBである、制御リソースセットの中心周波数と同期信号ブロックの中心周波数との間のオフセット、
（ＢＷCORESET−ＢＷSSB）／２−Ｍ×ＳＣSSBである、制御リソースセットの中心周波数と同期信号ブロックの中心周波数との間のオフセット、
（ＢＷCORESET−ＢＷSSB）／２−（１２×ＳＣCORESET−Ｍ×ＳＣSSB）である、制御リソースセットの中心周波数と同期信号ブロックの中心周波数との間のオフセット、
（ＢＷCORESET＋ＢＷSSB）／２＋Ｍ×ＳＣSSBである、制御リソースセットの中心周波数と同期信号ブロックの中心周波数との間のオフセット、および
（ＢＷCORESET＋ＢＷSSB）／２＋（１２×ＳＣCORESET＋Ｍ×ＳＣSSB）である、制御リソースセットの中心周波数と同期信号ブロックの中心周波数との間のオフセット
の１つによって示され、Ｍは同期信号ブロックとキャリア物理リソースブロックグリッド（ＰＲＢグリッド）との間の周波数領域オフセットにおける同期信号ブロックサブキャリアの数であり、Ｍは整数であり、ＳＣCORESETは制御リソースセットサブキャリアの周波数領域幅であり、ＳＣSSBは同期信号ブロックサブキャリアの周波数領域幅であり、ＢＷCORESETは制御リソースセット帯域幅であり、ＢＷSSBは同期信号ブロック帯域幅である。
【００２７】
一実施形態では、制御リソースセットの構成情報は制御リソースセットの時間領域位置情報を含み、時間領域位置情報は、以下の情報、すなわち、制御リソースセットが存在するスロットの情報、およびスロット内の制御リソースセットが占有するシンボルの位置情報、の少なくとも一方を含む。
【００２８】
一実施形態では、スロット内の制御リソースセットが占有するシンボルの位置情報は、スロット内の制御リソースセットが占有するシンボルの開始シンボルインデックスと、スロット内の制御リソースセットが占有するシンボルの数とを含む。
【００２９】
一実施形態では、制御リソースセットが存在するスロットの情報は、
制御リソースセットが同期信号ブロックを含むスロットで送信されること、
制御リソースセットが同期信号ブロックを含まないスロットで送信されること、および
制御リソースセットが同期信号ブロックを含むスロットで送信され、かつ同期信号ブロックを含まないスロットで送信されること
の１つを含む。
【００３０】
一実施形態では、制御リソースセットの構成情報をさらに用いて、制御リソースセットが同期信号ブロックを含むスロットで送信されるか、または制御リソースセットが同期信号ブロックを含まないスロットで送信されるかが示される。
【００３１】
一実施形態では、制御リソースセットが同期信号ブロックを含むスロットで送信され、かつ同期信号ブロックを含まないスロットで送信される場合、同期信号ブロックを含むスロットおよび同期信号ブロックを含まないスロットにおける制御リソースセットについて同じリソースマッピング規則が採用される。
【００３２】
一実施形態では、制御リソースセットの構成情報は制御リソースセットのモニタリングウィンドウ構成情報を含み、制御リソースセットのモニタリングウィンドウ構成情報は、以下の情報、すなわち、制御リソースセットのモニタリング周期、モニタリングウィンドウの時間領域継続期間、隣接するモニタリングウィンドウ同士の間の時間領域オフセット、およびモニタリングウィンドウの開始位置、の少なくとも１つを含み、制御リソースセットのモニタリングウィンドウは制御リソースセットの少なくとも１度のモニタリング機会を含む。
【００３３】
一実施形態では、制御リソースセットのモニタリングウィンドウは同期信号ブロックに対応する。
【００３４】
一実施形態では、制御リソースセットのモニタリングウィンドウの時間領域継続期間は１スロット以上である。
【００３５】
一実施形態では、隣接するモニタリングウィンドウ同士の間の時間領域オフセットは、０、モニタリングウィンドウの時間領域継続期間、およびモニタリングウィンドウの時間領域継続期間の１／Ｘ、の少なくとも１つを含み、Ｘは１よりも大きい整数であり、Ｘの値は予め定められたプロトコルによって予め定義されているかまたはシグナリングによって示される。
【００３６】
一実施形態では、制御リソースセットのモニタリングウィンドウの時間領域継続期間が１スロットである場合は、隣接するモニタリングウィンドウ同士の間の時間領域オフセットは、モニタリングウィンドウの時間領域継続期間、またはモニタリングウィンドウの時間領域継続期間の１／Ｘであり、制御リソースセットのモニタリングウィンドウの時間領域継続期間が１スロットよりも長い場合は、隣接するモニタリングウィンドウ同士の間の時間領域オフセットは、０、またはモニタリングウィンドウの時間領域継続期間の１／Ｘである。
【００３７】
一実施形態では、モニタリングウィンドウの開始位置は、モニタリングウィンドウの開始位置と同期信号ブロックの開始スロットとの間の時間領域オフセットによって示され、またはモニタリングウィンドウの開始位置は固定的に構成される。
【００３８】
一実施形態では、制御リソースセットは、残りの最小限のシステム情報ＲＭＳＩの共通の制御リソースセット、およびページング情報の共通の制御リソースセット、の一方である。
【００３９】
上記のネットワークアーキテクチャに適用される情報受信方法が本実施形態において提供される。図２は本願の一実施形態に係る情報受信方法のフローチャートであり、図２に示されるように、当該フローは以下のステップ、すなわちステップＳ２０２およびステップＳ２０４を含む。
【００４０】
ステップＳ２０２において、制御リソースセットの構成情報が受信される。
制御リソースセットの構成情報は物理報知チャネル上で搬送され、構成情報を用いて、制御リソースセットの時間領域位置情報および周波数領域位置情報の少なくとも一方が示される。
【００４１】
ステップＳ２０４において、構成情報に従って制御リソースセットが受信される。
一実施形態では、制御リソースセットの構成情報は制御リソースセットの帯域幅情報を含む。
【００４２】
一実施形態では、制御リソースセットの構成情報は制御リソースセットの周波数領域位置情報を含み、周波数領域位置情報は制御リソースセットと同期信号ブロックとの間の周波数オフセットによって示される。
【００４３】
一実施形態では、制御リソースセットの周波数領域位置情報は、
Ｍ×ＳＣSSBである、制御リソースセットの中心周波数と同期信号ブロックの中心周波数との間のオフセット、
（ＢＷCORESET−ＢＷSSB）／２−Ｍ×ＳＣSSBである、制御リソースセットの中心周波数と同期信号ブロックの中心周波数との間のオフセット、
（ＢＷCORESET−ＢＷSSB）／２−（１２×ＳＣCORESET−Ｍ×ＳＣSSB）である、制御リソースセットの中心周波数と同期信号ブロックの中心周波数との間のオフセット、
（ＢＷCORESET＋ＢＷSSB）／２＋Ｍ×ＳＣSSBである、制御リソースセットの中心周波数と同期信号ブロックの中心周波数との間のオフセット、および
（ＢＷCORESET＋ＢＷSSB）／２＋（１２×ＳＣCORESET＋Ｍ×ＳＣSSB）である、制御リソースセットの中心周波数と同期信号ブロックの中心周波数との間のオフセット
の１つによって示され、Ｍは同期信号ブロックとキャリア物理リソースブロックグリッド（ＰＲＢグリッド）との間の周波数領域オフセットにおける同期信号ブロックサブキャリアの数であり、Ｍは整数であり、ＳＣCORESETは制御リソースセットサブキャリアの周波数領域幅であり、ＳＣSSBは同期信号ブロックサブキャリアの周波数領域幅であり、ＢＷCORESETは制御リソースセット帯域幅であり、ＢＷSSBは同期信号ブロック帯域幅である。
【００４４】
一実施形態では、制御リソースセットの構成情報は制御リソースセットの時間領域位置情報を含み、時間領域位置情報は、以下の情報、すなわち、制御リソースセットが存在するスロットの情報、およびスロット内の制御リソースセットが占有するシンボルの位置情報、の少なくとも一方を含む。
【００４５】
一実施形態では、制御リソースセットの構成情報は制御リソースセットのモニタリングウィンドウ構成情報を含み、制御リソースセットのモニタリングウィンドウ構成情報は、以下の情報、すなわち、制御リソースセットのモニタリング周期、モニタリングウィンドウの時間領域継続期間、隣接するモニタリングウィンドウ同士の間の時間領域オフセット、およびモニタリングウィンドウの開始位置、の少なくとも１つを含み、制御リソースセットのモニタリングウィンドウは制御リソースセットの少なくとも１度のモニタリング機会を含む。
【００４６】
上記の実現態様の説明から、当業者であれば、本願は上記の実施形態の方法に係る必要な汎用ハードウェアとともにソフトウェアによって実現可能であり、ハードウェアのみによっても確実に達成可能であることを明らかに理解するが、前者の方が好ましい。そのような理解に基づいて、実質的に本願の技術的解決策が、または先行技術に貢献する本願の一部がソフトウェア製品の形態で具体化されてもよく、当該コンピュータソフトウェア製品は記憶媒体（ＲＯＭ／ＲＡＭ、磁気ディスク、または光ディスクなど）に格納され、当該記憶媒体は、端末装置（携帯電話、コンピュータ、サーバ、またはネットワーク機器などであり得る）が本願の実施形態に記載の方法を実行することを可能にする多数の命令を含む。
【００４７】
実施形態２
本実施形態では、情報送受信装置がさらに提供され、当該装置は上記の実施形態および好ましい実現態様を実現するように構成され、既に記載したものは重複して繰返さない。以下に使用する「モジュール」という用語は、予め定められた機能についてソフトウェアおよびハードウェアの少なくとも一方を実現し得る。以下の実施形態に記載の装置は好ましくはソフトウェアによって実現されるが、ハードウェアまたはソフトウェアとハードウェアとの組合せによる実現も可能であり想定される。
【００４８】
図３は本願の一実施形態に係る情報送信装置の構造ブロック図であり、これは基地局などのネットワーク側のネットワーク要素に適用され得、図３に示されるように、当該装置は構成モジュール３０および送信モジュール３２を含む。
【００４９】
構成モジュール３０は制御リソースセットの構成情報を物理報知チャネル上で搬送するように構成され、構成情報を用いて、制御リソースセットの時間領域位置情報および周波数領域位置情報の少なくとも一方が端末に対して示される。
【００５０】
送信モジュール３２は構成情報に従って制御リソースセットを送信するように構成される。
【００５１】
図４は本願の一実施形態に係る情報受信装置の構造ブロック図であり、これは端末に適用され得、図４に示されるように、当該装置は第１の受信モジュール４０および第２の受信モジュール４２を含む。
【００５２】
第１の受信モジュール４０は制御リソースセットの構成情報を受信するように構成され、制御リソースセットの構成情報は物理報知チャネル上で搬送され、構成情報を用いて、制御リソースセットの時間領域位置情報および周波数領域位置情報の少なくとも一方が示される。
【００５３】
第２の受信モジュール４２は構成情報に従って制御リソースセットを受信するように構成される。
【００５４】
なお、上記のモジュールの各々はソフトウェアまたはハードウェアによって実現され得、後者については以下の態様で実現され得るがこれに限定されず、上記のモジュールは同じプロセッサ内に存在するか、または上記のモジュールの各々は任意の組合せで異なるプロセッサ内にそれぞれ存在する。
【００５５】
実施形態３
データ送信の柔軟性を保証するために、異なるＳＳ／ＰＢＣＨブロックの時間領域位置とそれぞれの対応するＲＭＳＩ共通制御リソースセットの時間領域位置との関係は異なる場合があり、どのようにしてＰＢＣＨの組合された受信に影響を及ぼさずにＲＭＳＩ共通制御リソースセットの時間領域位置を効果的に示すかは、考慮して解決しなければならない課題である。
【００５６】
新世代の無線通信システムＮＲでは、システム情報は最小限のシステム情報（minimum SI）とそれ以外のシステム情報（other SI）とに分類される。最小限のシステム情報は、物理報知チャネル（ＰＢＣＨ）上で搬送される「マスタシステム情報（ＭＩＢ）」と、物理下りリンク共有チャネル上で搬送される「残りの最小限のシステム情報」とにさらに分類され、マスタシステム情報を用いてセルの基本的なシステムパラメータが与えられ、残りの最小限のシステム情報を用いて、初期アクセス要求の送信構成、および初期アクセス応答のメッセージ受信構成など、初期アクセスに関連する構成情報が与えられる。報知する必要があるそれ以外のシステム情報は、それ以外のシステム情報と称される。
【００５７】
ＲＭＳＩは物理下りリンク制御チャネルＰＤＣＣＨによってスケジュールされ、物理下りリンク共有チャネルＰＤＳＣＨ上で搬送される。ＲＭＳＩスケジューリング情報が存在する共通の制御リソースセットＣＯＲＥＳＥＴの時間および周波数領域位置はＰＢＣＨ内に示され得る。
【００５８】
ＮＲシステムでは、ＰＢＣＨは同期信号／物理報知チャネルブロック（ＳＳ／ＰＢＣＨブロック）で搬送されて送信され、１つの同期周期は複数のＳＳ／ＰＢＣＨブロックを含み、異なるＳＳ／ＰＢＣＨブロックは同じまたは異なるビーム方向またはポートの同期報知信号を共に送信して、想定領域の完全なカバレッジを実現し得る。異なるビーム方向およびポートのＰＢＣＨは組合された受信を必要とするため、表示情報をＰＢＣＨに挿入することを考慮する際には情報内容が同じであることを保証する必要がある。
【００５９】
データ送信の柔軟性を保証するために、異なるＳＳ／ＰＢＣＨブロックの時間領域位置とそれぞれの対応するＲＭＳＩ共通制御リソースセットの時間領域位置との関係は異なる場合があり、どのようにしてＰＢＣＨの組合された受信に影響を及ぼさずにＲＭＳＩ共通制御リソースセットの時間領域位置を効果的に示すかは、考慮して解決しなければならない課題である。
【００６０】
本願は、情報送信方法およびシステムであって、以下の態様、すなわち、
ネットワーク側で、制御リソースセット（Control Resource Set：ＣＯＲＥＳＥＴ）の構成情報を物理報知チャネル上で搬送することを含み、制御リソースセットの構成情報を用いて、制御リソースセットの時間および周波数領域位置情報が端末に対して示され、さらに、
ネットワーク側で、構成情報に従って制御リソースセットＣＯＲＥＳＥＴを送信すること
を含む情報送信方法およびシステムを提供する。
【００６１】
制御リソースセットの構成情報は、
制御リソースセットの帯域幅情報、
制御リソースセットの周波数領域位置情報、
制御リソースセットの時間領域位置情報であって、時間領域位置情報は以下の情報、すなわち、制御リソースセットが存在するスロットの情報、およびスロット内の制御リソースセットが占有するシンボルの位置情報、の少なくとも一方を含む。スロット内の制御リソースセットが占有するシンボルの位置情報は、スロット内の制御リソースセットが占有するシンボルの開始シンボルインデックスと、スロット内の制御リソースセットが占有するシンボルの数とを含み、さらに、
制御リソースセットのモニタリングウィンドウ構成情報であって、制御リソースセットのモニタリングウィンドウ構成情報は以下の情報、すなわち、制御リソースセットのモニタリング周期、モニタリングウィンドウの時間領域継続期間、隣接するモニタリングウィンドウ同士の間の時間領域オフセット、およびモニタリングウィンドウの開始位置、の少なくとも１つを含む
の１つ以上を含む。
【００６２】
本実施形態の共通の制御リソースセットＣＯＲＥＳＥＴは以下の下りリンク制御情報、すなわち、ページング下りリンク制御情報、残りの最小限のシステム情報のスケジューリング情報、およびページングインジケータなど、の１つ以上を含み得る。当該情報は想定範囲の完全なカバレッジを実現する必要があるため、ある特定の下りリンクポート／下りリンクビーム方向の共通の制御情報が一定のＣＯＲＥＳＥＴ内で送信され、１つ以上のＣＯＲＥＳＥＴが１つのスイープ送信周期／ＣＯＲＥＳＥＴモニタリング周期に含まれており、１つ以上の下りリンクポート／下りリンクビーム方向の共通の制御情報の送信が想定範囲のカバレッジを実現する。
【００６３】
ページング下りリンク制御情報（ページングＤＣＩ）は、ページングメッセージのスケジューリング情報を示すために用いられ、ページングスケジューリング下りリンク制御情報（ページングスケジューリングＤＣＩ）とも称される。
【００６４】
新世代の無線通信システムＮＲでは、システム情報は最小限のシステム情報（minimum SI）とそれ以外のシステム情報（other SI）とに分類される。最小限のシステム情報は、物理報知チャネル（ＰＢＣＨ）上で搬送される「マスタシステム情報（ＭＩＢ）」と、物理下りリンク共有チャネル上で搬送される「残りの最小限のシステム情報」とにさらに分類され、マスタシステム情報を用いてセルの基本的なシステムパラメータが与えられ、残りの最小限のシステム情報を用いて、初期アクセス要求の送信構成、および初期アクセス応答のメッセージ受信構成など、初期アクセスに関連する構成情報が与えられる。報知する必要があるそれ以外のシステム情報は、それ以外のシステム情報（other SI）と称される。
【００６５】
ＲＭＳＩは物理下りリンク制御チャネルＰＤＣＣＨによってスケジュールされ、物理下りリンク共有チャネルＰＤＳＣＨ上で搬送される。ＲＭＳＩスケジューリング情報が存在する共通の制御リソースセットＣＯＲＥＳＥＴの時間および周波数領域位置はＰＢＣＨ内に示され得る。
【００６６】
ページングインジケータは、端末をトリガして下りリンクの好ましいビームを報告させるために用いられ、ページンググループインジケータとも称される。
【００６７】
同期信号ブロック（ＳＳ／ＰＢＣＨブロック）は、同期信号および物理報知チャネル（および対応する復調参照信号ＤＭＲＳ）などのアクセス関連の信号チャネルを搬送するために用いられる時間および周波数領域リソースである。図５は本実施形態に係る同期信号ブロックの概略図であり、図５に示されるように、同期信号ブロックは通常は４つのシンボルを含み、第１および第３のシンボルは１次同期信号（ＰＳＳ）および２次同期信号（ＳＳＳ）をそれぞれ搬送し、同期信号シーケンスは１２個の物理リソースブロック（ＰＲＢ）内の１２７個のリソース要素（ＲＥ）にマッピングされる。図５の（ａ）に示されるように、いくつかの構成では、物理報知チャネル（ＰＢＣＨ）は同期信号ブロック内の第２および第４のシンボル上でのみ搬送されて２４個のＰＲＢを占有し、または他のリソース構成では、ＰＢＣＨは同期信号ブロック内の第２、第３および第４のシンボルにマッピングされ、当該複数のシンボル上で、占有されるＰＲＢの数は以下のとおりである。すなわち、第２および第４のシンボル上で２０個のＰＲＢが占有され、第３のシンボル上で、ＰＢＣＨは２次同期信号の両側にそれぞれ４つのＰＲＢを占有し、合計８個のＰＲＢを占有する。上記の構成では、同期信号の中心周波数はＰＢＣＨの中心周波数と一致する。
【００６８】
本実施形態は以下の実現態様をさらに含む。
実現態様１：
本実現態様ではＣＯＲＥＳＥＴの帯域幅情報の表示を説明するが、これは特に以下のように説明される。すなわち、制御リソースセットの構成情報は、制御リソースセットの帯域幅情報が最小チャネル帯域幅または最小端末帯域幅であり得ることを含む。
【００６９】
最小チャネル帯域幅は、一定の周波数範囲内のシステムによってサポートされる最小帯域幅と定義され、たとえば、６ＧＨｚよりも低い周波数範囲内では、最小チャネル帯域幅は５ＭＨｚと定義され、または６ＧＨｚよりも高い周波数範囲内では、最小チャネル帯域幅は５０ＭＨｚと定義される。
【００７０】
最小端末帯域幅は、すべての端末がサポート可能な帯域幅の最大値を指す。
ＣＯＲＥＳＥＴ帯域幅情報を示すために、１ビット（ビット）が物理報知チャネルに含まれて、現在のキャリアのＣＯＲＥＳＥＴ帯域幅が最小チャネル帯域幅であるか最小端末帯域幅であるかが示され得る。たとえば、０は現在のキャリアのＣＯＲＥＳＥＴ帯域幅が最小チャネル帯域幅であることを表わし、１は現在のキャリアのＣＯＲＥＳＥＴ帯域幅が最小端末帯域幅であることを表わす。
【００７１】
あるいは、ＣＯＲＥＳＥＴ帯域幅は周波数帯域に基づいて予め定義されており、たとえば、一定の周波数帯域のＣＯＲＥＳＥＴ帯域幅が最小チャネル帯域幅または最小端末帯域幅に等しいことがプロトコルに規定されている。あるいは、２４個のＰＲＢ（物理送信ブロック）、または４８個のＰＲＢなど、周波数帯域のＣＯＲＥＳＥＴ帯域幅の値がプロトコル内に与えられる。この場合、帯域幅表示ビットを別個に挿入しなくてもよい。
【００７２】
あるいは、ＣＯＲＥＳＥＴ帯域幅は、スロット内の制御リソースセットが占有するシンボルの数によって暗黙的に示される。たとえば、スロット内のＣＯＲＥＳＥＴが占有するシンボルの数が１であることは、ＣＯＲＥＳＥＴ帯域幅が４８個のＰＲＢであることに対応し、スロット内のＣＯＲＥＳＥＴが占有するシンボルの数が２である場合は、ＣＯＲＥＳＥＴ帯域幅は２４個のＰＲＢである。この場合、帯域幅表示ビットを別個に挿入しなくてもよい。
【００７３】
実現態様２：
本実現態様ではＣＯＲＥＳＥＴ周波数領域位置情報の表示を説明するが、これは以下のように説明される。すなわち、制御リソースセットの構成情報は制御リソースセットの周波数領域位置情報を含み、周波数領域位置は制御リソースセットと同期信号ブロックとの間の周波数オフセットによって示される。
【００７４】
図６は本実施形態に係る周波数領域位置が制御リソースセットと同期信号ブロックとの間の周波数オフセットによって示される概略図Ｉであり、図７は本実施形態に係る周波数領域位置が制御リソースセットと同期信号ブロックとの間の周波数オフセットによって示される概略図ＩＩであり、図８は本実施形態に係る周波数領域位置が制御リソースセットと同期信号ブロックとの間の周波数オフセットによって示される概略図ＩＩＩであり、図９は本実施形態に係る周波数領域位置が制御リソースセットと同期信号ブロックとの間の周波数オフセットによって示される概略図ＩＶであり、図１０は本実施形態に係る周波数領域位置が制御リソースセットと同期信号ブロックとの間の周波数オフセットによって示される概略図Ｖであり、図１１は本実施形態に係る周波数領域位置が制御リソースセットと同期信号ブロックとの間の周波数オフセットによって示される概略図ＶＩである。図６、図７、図８、図９、図１０および図１１に示されるように、同期信号ブロックの物理リソースブロックＰＲＢ境界とキャリア（物理リソースブロックグリッド（ＰＲＢグリッド））の実際のＰＲＢ境界との間に（オフセットの図示としての）オフセットが存在し得る。情報ビット（４ビットまたは５ビットなど）を物理報知チャネルに挿入して上記のオフセットを明示的に示してもよく、当該オフセットは、（図６、図８および図１０に示されるように）同期信号ブロックの物理リソースブロックＰＲＢ境界とより低い周波数におけるキャリアのＰＲＢ境界との間のオフセット、または（図７、図９および図１１に示されるように）同期信号ブロックの物理リソースブロックＰＲＢ境界とより高い周波数におけるキャリアのＰＲＢ境界との間のオフセットと予め定義されていてもよい。しかし、ＣＯＲＥＳＥＴの送信とキャリアの実際のＰＲＢ境界との間にはオフセットがないため、ＣＯＲＥＳＥＴの周波数領域位置を同期信号ブロックからの周波数オフセットを用いて示す場合は、このオフセットを考慮する必要がある。ＣＯＲＥＳＥＴ周波数領域位置についての表示態様を、ＣＯＲＥＳＥＴのサブキャリア間隔が同期信号ブロックのサブキャリア間隔に等しい、当該間隔よりも小さいまたは大きい場合についてそれぞれ以下に説明する。
【００７５】
図６および図７に示されるように、ＣＯＲＥＳＥＴのサブキャリア間隔が同期信号ブロックのサブキャリア間隔に等しい（たとえば、ＣＯＲＥＳＥＴおよび同期信号ブロックのサブキャリア間隔が１５ｋＨｚである）場合は、キャリア物理リソースブロックグリッド（ＰＲＢグリッド）内で、周波数領域において１つのキャリアＰＲＢは１２個の同期信号ブロックサブキャリアを含み、したがって、可能なオフセット値は１２個あり、すなわち、オフセットの値の範囲は０から１１個のサブキャリアであり、特定のオフセット番号（すなわちオフセットの値）はＰＢＣＨ内に４ビットによって示される。
【００７６】
図８および図９に示されるように、ＣＯＲＥＳＥＴのサブキャリア間隔が同期信号ブロックのサブキャリア間隔よりも小さい（たとえば、ＣＯＲＥＳＥＴのサブキャリア間隔が１５ｋＨｚであり、同期信号ブロックのサブキャリア間隔が３０ｋＨｚである）場合は、キャリア物理リソースブロックグリッド（ＰＲＢグリッド）はより大きいサブキャリア間隔（３０ｋＨｚ）によって定義され、より小さいサブキャリアがより大きいサブキャリア内にネストされ、すなわち、周波数領域において１つの３０ｋＨｚのサブキャリアは２つの１５ｋＨｚのサブキャリアに対応する。この場合、キャリア物理リソースブロックグリッド（ＰＲＢグリッド）内で、周波数領域において１つのキャリアＰＲＢは１２個の同期信号ブロックサブキャリアを含み、オフセット（オフセット）の値の範囲は０から１１個の同期信号ブロック（３０ｋＨｚ）サブキャリアであり、特定のオフセット番号（すなわちオフセットの値）はＰＢＣＨ内に４ビットによって示される。
【００７７】
図１０および図１１に示されるように、ＣＯＲＥＳＥＴのサブキャリア間隔が同期信号ブロックのサブキャリア間隔よりも大きい（たとえば、ＣＯＲＥＳＥＴのサブキャリア間隔が３０ｋＨｚであり、同期信号ブロックのサブキャリア間隔が１５ｋＨｚである）場合は、キャリア物理リソースブロックグリッド（ＰＲＢグリッド）はより大きいサブキャリア間隔（３０ｋＨｚ）によって定義され、より小さいサブキャリアがより大きいサブキャリア内にネストされ、すなわち、周波数領域において１つの３０ｋＨｚのサブキャリアは２つの１５ｋＨｚのサブキャリアに対応する。この場合、キャリア物理リソースブロックグリッド（ＰＲＢグリッド）内で、周波数領域において１つのキャリアＰＲＢは２４個の同期信号ブロックサブキャリアを含み、オフセット（オフセット）の値の範囲は０から２３個の同期信号ブロック（３０ｋＨｚ）サブキャリアであり、特定のオフセット番号（すなわちオフセットの値）はＰＢＣＨ内に５ビットによって示される。
【００７８】
下位実現態様２．１：
オフセットが、（図６、図８および図１０に示されるように）同期信号ブロックの物理リソースブロックＰＲＢ境界とより低い周波数におけるキャリアのＰＲＢ境界との間のオフセットと定義される場合は、ＣＯＲＥＳＥＴの周波数領域位置は以下の周波数領域位置のケース１からケース５の１つである。
【００７９】
ケース１：ＣＯＲＥＳＥＴの低周波数境界が同期信号ブロックの低周波数境界よりもＭ個の１５ｋＨｚのサブキャリアだけ低く、この場合、ＣＯＲＥＳＥＴの中心周波数と同期信号ブロックの中心周波数と間のオフセットは（ＢＷCORESET−ＢＷSSB）／２−Ｍ×ＳＣSSBである。
【００８０】
ケース２：ＣＯＲＥＳＥＴの高周波数境界が同期信号ブロックの高周波数境界よりも１２×ＳＣCORESET−Ｍ×ＳＣSSBだけ高く、この場合、ＣＯＲＥＳＥＴの中心周波数と同期信号ブロックの中心周波数と間のオフセットは（ＢＷCORESET−ＢＷSSB）／２−（１２×ＳＣCORESET−Ｍ×ＳＣSSB）である。
【００８１】
ケース３：ＣＯＲＥＳＥＴの中心周波数と同期信号ブロックの中心周波数との間のオフセットがＭ個の１５ｋＨｚのサブキャリアであり、すなわち、中心周波数同士の間の絶対オフセットはＭ×ＳＣSSBである。
【００８２】
ケース４：ＣＯＲＥＳＥＴの高周波数境界が同期信号ブロックの低周波数境界よりもＭ個の１５ｋＨｚのサブキャリアだけ低く、この場合、ＣＯＲＥＳＥＴの中心周波数と同期信号ブロックの中心周波数と間のオフセットは（ＢＷCORESET＋ＢＷSSB）／２＋Ｍ×ＳＣSSBである。
【００８３】
ケース５：ＣＯＲＥＳＥＴの低周波数境界が同期信号ブロックの高周波数境界よりも１２×ＳＣCORESET−Ｍ×ＳＣSSBだけ高く、この場合、ＣＯＲＥＳＥＴの中心周波数と同期信号ブロックの中心周波数との間のオフセットは（ＢＷCORESET＋ＢＷSSB）／２＋（１２×ＳＣCORESET−Ｍ×ＳＣSSB）である。
【００８４】
Ｍは同期信号ブロックとＰＲＢ境界との間の周波数領域オフセットにおける同期信号ブロックサブキャリアの数であり、Ｍは整数であり、ＣＯＲＥＳＥＴのサブキャリア間隔が同期信号ブロックのサブキャリア間隔以下である場合は、オフセットの値の範囲は０≦Ｍ≦１１である。ＣＯＲＥＳＥＴのサブキャリア間隔が同期信号ブロックのサブキャリア間隔よりも大きい場合は、オフセットの値の範囲は０≦Ｍ≦２３である。ＳＣCORESETは制御リソースセットサブキャリアの周波数領域幅であり、ＳＣSSBは同期信号ブロックサブキャリアの周波数領域幅であり、ＢＷCORESETは制御リソースセット帯域幅であり、ＢＷSSBは同期信号ブロック帯域幅である。
【００８５】
上記の５つのケースにおいて、ケース１、２および３では、ＣＯＲＥＳＥＴの周波数領域範囲は同期信号ブロックの周波数領域範囲を含んでおり、ケース４および５では、ＣＯＲＥＳＥＴの周波数領域範囲は同期信号ブロックの周波数領域範囲に重なっていない。
【００８６】
下位実現態様２．２：
図７、図９および図１１は、オフセット（オフセット）が同期信号ブロックの物理リソースブロックＰＲＢ境界とより高い周波数におけるキャリアのＰＲＢ境界との間のオフセットであるケースを示しており、図６に示したケースと同様の以下のケース１からケース５がある。
【００８７】
ケース１：ＣＯＲＥＳＥＴの低周波数境界が同期信号ブロックの低周波数境界よりも１２×ＳＣCORESET−Ｍ×ＳＣSSBだけ低く、この場合、ＣＯＲＥＳＥＴの中心周波数と同期信号ブロックの中心周波数と間のオフセットは（ＢＷCORESET−ＢＷSSB）／２−（１２×ＳＣCORESET−Ｍ×ＳＣSSB）である。
【００８８】
ケース２：ＣＯＲＥＳＥＴの高周波数境界が同期信号ブロックの高周波数境界よりもＭ×ＳＣSSBだけ、すなわちＭ個の同期信号ブロックサブキャリアだけ高く、この場合、ＣＯＲＥＳＥＴの中心周波数と同期信号ブロックの中心周波数と間のオフセットは（ＢＷCORESET−ＢＷSSB）／２−Ｍ×ＳＣSSBである。
【００８９】
ケース３：ＣＯＲＥＳＥＴの中心周波数と同期信号ブロックの中心周波数と間のオフセットがＭ個の１５ｋＨｚのサブキャリアであり、すなわち、当該中心周波数同士の間の絶対オフセットはＭ×ＳＣSSBである。
【００９０】
ケース４：ＣＯＲＥＳＥＴの高周波数境界が同期信号ブロックの低周波数境界よりも１２×ＳＣCORESET−Ｍ×ＳＣSSBだけ低く、この場合、ＣＯＲＥＳＥＴの中心周波数と同期信号ブロックの中心周波数と間のオフセットは（ＢＷCORESET＋ＢＷSSB）／２＋（１２×ＳＣCORESET−Ｍ×ＳＣSSB）である。
【００９１】
ケース５：ＣＯＲＥＳＥＴの低周波数境界が同期信号ブロックの高周波数境界よりもＭ×ＳＣSSBだけ、すなわちＭ個の同期信号ブロックサブキャリアだけ高く、この場合、ＣＯＲＥＳＥＴの中心周波数と同期信号ブロックの中心周波数と間のオフセットは（ＢＷCORESET＋ＢＷSSB）／２＋Ｍ×ＳＣSSBである。
【００９２】
Ｍは同期信号ブロックとＰＲＢ境界との間の周波数領域オフセットにおける同期信号ブロックサブキャリアの数であり、Ｍは整数であり、ＣＯＲＥＳＥＴのサブキャリア間隔が同期信号ブロックのサブキャリア間隔以下である場合は、オフセットの値の範囲は０≦Ｍ≦１１である。ＣＯＲＥＳＥＴのサブキャリア間隔が同期信号ブロックのサブキャリア間隔よりも大きい場合は、オフセットの値の範囲は０≦Ｍ≦２３である。ＳＣCORESETは制御リソースセットサブキャリアの周波数領域幅であり、ＳＣSSBは同期信号ブロックサブキャリアの周波数領域幅であり、ＢＷCORESETは制御リソースセット帯域幅であり、ＢＷSSBは同期信号ブロック帯域幅である。
【００９３】
上記の５つのケースにおいて、ケース１、２および３では、ＣＯＲＥＳＥＴの周波数領域範囲は同期信号ブロックの周波数領域範囲を含んでおり、ケース４および５では、ＣＯＲＥＳＥＴの周波数領域範囲は同期信号ブロックの周波数領域範囲に重なっていない。
【００９４】
上記のようなＣＯＲＥＳＥＴ周波数領域位置では、そのいずれか１つ以上の任意の位置がプロトコルに規定されていてもよく、ＰＢＣＨのＣＯＲＥＳＥＴ構成情報表示欄に表示ビットが挿入されて、現在のキャリアのＣＯＲＥＳＥＴの周波数領域位置が端末に対して示される。たとえば、ＣＯＲＥＳＥＴの周波数領域位置は以下の４つのケース、すなわちケース１、ケース２、ケース４およびケース５を含むことがプロトコルに規定されており、ＰＢＣＨに２ビットが用いられて、上記の４つの周波数領域位置のどの構成が現在用いられているかが示される。
【００９５】
あるいは、以下に定義されるように、ケース１およびケース２では、ＣＯＲＥＳＥＴ帯域幅が同期信号ブロック帯域幅に重なっており、両方のサブキャリア間隔が同じである方が好適である。反対に、ケース４およびケース５では、ＣＯＲＥＳＥＴ帯域幅が同期信号ブロック帯域幅に重なっておらず、両方のサブキャリア間隔が異なる方が好適である。したがって、ＣＯＲＥＳＥＴのサブキャリア間隔と同期信号ブロックのサブキャリア間隔とが同じである場合は、１ビットがＰＢＣＨに挿入されて、ケース１およびケース２における上記の周波数領域位置のどの構成が現在用いられているかが示されること、ならびに、ＣＯＲＥＳＥＴのサブキャリア間隔と同期信号ブロックのサブキャリア間隔とが異なる場合は、１ビットがＰＢＣＨに挿入されて、ケース４およびケース５における上記の周波数領域位置のどの構成が現在用いられているかが示されること、がプロトコルに規定されている。
【００９６】
実現態様３：
本実現態様では、制御リソースセットが存在するスロットの情報についての表示態様を説明する。
【００９７】
ＣＯＲＥＳＥＴが存在するスロットの情報については以下の３つのケースがある。
ケース１：ＣＯＲＥＳＥＴが同期信号ブロックを含むスロットで送信される（図１２の（ａ）に示されるように、当該図は本実施形態に係るＣＯＲＥＳＥＴが同期信号ブロック（Synchronization Signal Block：ＳＳＢ）が存在するスロットで送信される概略構造図であり、すなわち、２つの同期信号ブロックＳＳＢ１、ＳＳＢ２が１つのスロットに含まれており、それぞれ対応するＣＯＲＥＳＥＴは、当該ＳＳＢが占有するシンボルの前のシンボル内にある）。
【００９８】
ケース２：ＣＯＲＥＳＥＴが同期信号ブロックを含むスロットで送信され、かつ同期信号ブロックを含まないスロットで送信される（図１２の（ｂ）に示されるように、当該図はＣＯＲＥＳＥＴがＳＳＢが存在するスロットで送信され、かつ同期信号ブロックを含まないスロットで送信される概略構造図であり、すなわち、２つの同期信号ブロックＳＳＢ１、ＳＳＢ２が１つのスロットに含まれており、ＳＳＢ２に対応するＣＯＲＥＳＥＴは当該ＳＳＢが占有するシンボルの前のシンボル内にあり、ＳＳＢ１に対応するＣＯＲＥＳＥＴは当該ＳＳＢを含まないスロットで送信される）。
【００９９】
ケース３：ＣＯＲＥＳＥＴが同期信号ブロックを含まないスロットで送信される（図１２の（ｃ）に示されるように、当該図はＣＯＲＥＳＥＴが同期信号ブロックを含まないスロットで送信される概略構造図であり、すなわち、ＳＳＢを含まない１つのスロットにおいて、ＣＯＲＥＳＥＴはスロット内の第１および第７のシンボルにそれぞれマッピングされる）。
【０１００】
図１３に示されるように、同期信号ブロックを含むスロットで制御リソースセットを送信するための別の形態もあり、すなわち、複数の同期信号ブロック送信周期が用いられる。図１３は本実施形態に係る複数の同期信号ブロック送信周期の使用の概略図である（図１３において、ＳＳバーストセット周期性は同期信号ブロックの送信周期を指す）。２つの同期信号ブロックが１つのスロット（スロット）にマッピングされ、前半のＳＳＢに対応するＣＯＲＥＳＥＴ１は第１の周期においてＳＳＢ１が存在するスロットで送信され、後半のＳＳＢに対応するＣＯＲＥＳＥＴ２は第２の周期においてＳＳＢ２が存在するスロットで送信される。この場合、ＣＯＲＥＳＥＴの送信周期はＳＳＢの送信周期の２倍である。
【０１０１】
どのＳＳＢがどのＳＳバーストセット周期に送信されるかに対応するＣＯＲＥＳＥＴがシステムによって予め定義されていてもよく、たとえば、ＳＳＢに対応する奇数のＣＯＲＥＳＥＴがシステムフレーム番号ＳＦＮ  ｍｏｄ  ４＝０の無線フレーム上に含まれており、ＳＳＢに対応する偶数のＣＯＲＥＳＥＴがＳＦＮ  ｍｏｄ  ４＝２の無線フレーム上に含まれている。あるいは、ＳＳＢに対応する奇数のＣＯＲＥＳＥＴがＳＦＮ  ｍｏｄ  ４＝０または１の無線フレーム上に含まれており、ＳＳＢに対応する偶数のＣＯＲＥＳＥＴがＳＦＮモード４＝２または３の無線フレーム上に含まれている。
【０１０２】
ＰＢＣＨのＣＯＲＥＳＥＴ構成情報表示欄に表示ビットが挿入されて、現在のキャリアのＣＯＲＥＳＥＴが存在するスロットの情報が端末に対して示され得る。たとえば、表示のために２ビットが用いられ、「００」は「制御リソースセットは同期信号ブロックを含むスロットで送信される」ことを表わし、「０１」は「制御リソースセットは同期信号ブロックを含むスロットで送信され、かつ同期信号ブロックを含まないスロットでも送信される」ことを表わし、「１０」は「制御リソースセットは同期信号ブロックを含まないスロットで送信される」ことを表わし、「１１」は「（図１３に対応する）ＣＯＲＥＳＥＴ送信スパン周期の態様」を表わす。
【０１０３】
あるいは、表示のために１ビットが用いられ、「０」は「制御リソースセットは同期信号ブロックを含むスロットで送信される」ことを表わし、「１」は「制御リソースセットは同期信号ブロックを含まないスロットでのみ送信される」ことを表わす。この場合、「０」は実際には図１２の（ａ）、図１２の（ｂ）および図１３に示される３つのケースを含む。
【０１０４】
あるいは、表示のために１ビットが用いられ、「０」は「制御リソースセットは同期信号ブロックを含むスロットでのみ送信される」ことを表わし、「１」は「制御リソースセットは同期信号ブロックを含まないスロットで送信される」ことを表わす。この場合、「０」は実際には図１２の（ａ）および図１３に示される２つのケースを含み、「１」は実際には図１２の（ｂ）および図１２の（ｃ）に示される２つのケースを含む。
【０１０５】
あるいは、上記の４つのケースのうちのいずれか２つが含まれていることがプロトコルに規定されており、ＰＢＣＨに１ビットがさらに用いられて、現在のキャリアにどの構成が特に用いられているかが示される。
【０１０６】
実現態様４：
本実現態様では、スロット内のＣＯＲＥＳＥＴが占有するシンボルの位置情報についての表示態様を説明する。スロット内のＣＯＲＥＳＥＴが占有するシンボルの位置情報は、スロット内のＣＯＲＥＳＥＴが占有するシンボルの開始シンボルインデックスと、スロット内のＣＯＲＥＳＥＴが占有するシンボルの数とを含む。
【０１０７】
図１４に示されるように、図１４は本実施形態に係る現在の同期信号ブロック（ＳＳＢ）のスロットへのマッピングパターンの概略図であり、図１４の（ａ）はサブキャリア間隔が１５ｋＨｚまたは３０ｋＨｚ（パターン２）の同期信号ブロックをスロットにマッピングするのに適用され、図１４の（ｂ）はサブキャリア間隔が３０ｋＨｚ（パターン１）または１２０ｋＨｚの同期信号ブロックをスロットにマッピングするのに適用され、図１４の（ｃ）はサブキャリア間隔が２４０ｋＨｚの同期信号ブロックをスロットにマッピングするのに適用される。図１４の（ａ）および図１４の（ｂ）のスロットは現在の同期信号ブロックのサブキャリア間隔に対応するスロットであり、図１４の（ｃ）のスロットは１２０ｋＨｚのスロットに対応する。
【０１０８】
下位実現態様４．１：
図１４の（ａ）に示される１５ｋＨｚまたは３０ｋＨｚ（パターン２）の同期信号ブロックのマッピングについて、図１５は本実施形態に係るスロット内のＣＯＲＥＳＥＴが占有するシンボルの位置情報の概略図Ｉである。図１５に示されるように、ＣＯＲＥＳＥＴが占有するシンボルの位置情報は、ＳＳＢから始まる矢印がそれに対応するＣＯＲＥＳＥＴを指すことを含む。
【０１０９】
図１５（１）の構成では、各ＣＯＲＥＳＥＴは１つのシンボルを占有し、同じスロットにマッピングされ、ＳＳＢは特に当該ＳＳＢの前の１つのシンボルを占有し、すなわち、スロット内の第１のＳＳＢに対応するＣＯＲＥＳＥＴはスロット内の第２のシンボルを占有し、スロット内の第２のＳＳＢに対応するＣＯＲＥＳＥＴはスロット内の第８のシンボルを占有する。
【０１１０】
図１５（２）の構成では、各ＣＯＲＥＳＥＴは１つのシンボルを占有し、スロット内の第１のＳＳＢに対応するＣＯＲＥＳＥＴは５ｍｓのＳＳＢ時間ウィンドウの外部のスロットの第８のシンボルにマッピングされ、スロット内の第２のＳＳＢに対応するＣＯＲＥＳＥＴはＳＳＢが存在するスロットにマッピングされ、特に、ＳＳＢの前の１つのシンボル、すなわちスロット内の第８のシンボルを占有する。
【０１１１】
図１５（３）の構成では、各ＣＯＲＥＳＥＴは１つのシンボルを占有し、スロット内の第１のＳＳＢに対応するＣＯＲＥＳＥＴはＳＳＢが存在するスロットにマッピングされ、特に、ＳＳＢの前の１つのシンボル、すなわちスロット内の第２のシンボルを占有し、スロット内の第２のＳＳＢに対応するＣＯＲＥＳＥＴは、５ｍｓのＳＳＢ時間ウィンドウの外部のスロットの第２のシンボルにマッピングされる。
【０１１２】
図１５（４）の構成では、各ＣＯＲＥＳＥＴは１つのシンボルを占有し、ＳＳＢが存在するスロットにマッピングされ、当該ＳＳＢは特にスロット内の最初の２つのシンボルを占有し、すなわち、スロット内の第１のＳＳＢに対応するＣＯＲＥＳＥＴはスロット内の第１のシンボルを占有し、スロット内の第２のＳＳＢに対応するＣＯＲＥＳＥＴはスロット内の第２のシンボルを占有する。
【０１１３】
図１５（５）の構成では、各ＣＯＲＥＳＥＴは２つのシンボルを占有し、スロット内の第１のＳＳＢに対応するＣＯＲＥＳＥＴは当該ＳＳＢが存在するスロットにマッピングされ、特に、当該ＳＳＢが存在するスロットの最初の２つのシンボルを占有し、スロット内の第２のＳＳＢに対応するＣＯＲＥＳＥＴは、５ｍｓのＳＳＢ時間ウィンドウの外部のスロットの第１および第２のシンボルにマッピングされる。
【０１１４】
図１５（６）の構成では、各ＣＯＲＥＳＥＴは２つのシンボルを占有し、スロット内の第１のＳＳＢに対応するＣＯＲＥＳＥＴは５ｍｓのＳＳＢ時間ウィンドウの外部のスロットの第７および第８のシンボルにマッピングされ、スロット内の第２のＳＳＢに対応するＣＯＲＥＳＥＴは、当該ＳＳＢが存在するスロットにマッピングされ、特に、当該ＳＳＢが存在するスロットの第７および第８のシンボルを占有する。
【０１１５】
図１５（７）の構成では、各ＣＯＲＥＳＥＴは２つのシンボルを占有し、スロット内の第１のＳＳＢに対応するＣＯＲＥＳＥＴは５ｍｓのＳＳＢ時間ウィンドウの外部のスロットの第１および第２のシンボルにマッピングされ、スロット内の第２のＳＳＢに対応するＣＯＲＥＳＥＴは、当該ＳＳＢが存在するスロットにマッピングされ、特に、当該ＳＳＢが存在するスロットの第７および第８のシンボルを占有する。
【０１１６】
図１５（８）の構成では、各ＣＯＲＥＳＥＴは２つのシンボルを占有し、同じスロットにマッピングされ、ＳＳＢは特に当該ＳＳＢの前の２つのシンボルを占有し、すなわち、スロット内の第１のＳＳＢに対応するＣＯＲＥＳＥＴはスロット内の第１および第２のシンボルを占有し、スロット内の第２のＳＳＢに対応するＣＯＲＥＳＥＴはスロット内の第７および第８のシンボルを占有する。
【０１１７】
図１５（９）の構成では、各ＣＯＲＥＳＥＴは１つまたは２つまたは３つまたは４つのシンボルを占有し、周波数分割多重化（Frequency-division multiplexing：ＦＤＭ）の多重化態様がＣＯＲＥＳＥＴおよび対応するＳＳＢに用いられ、すなわち、スロット内の第１のＳＳＢに対応するＣＯＲＥＳＥＴは当該ＳＳＢが存在するスロットにマッピングされる。一実施形態では、ＣＯＲＥＳＥＴが１つのシンボルを占有する場合、ＣＯＲＥＳＥＴはＳＳＢが存在するスロットの第３のシンボルを占有し、ＣＯＲＥＳＥＴの２つのシンボルについては、第３および第４のシンボルが占有され、ＣＯＲＥＳＥＴの３つのシンボルについては、第３、第４および第５のシンボルが占有され、ＣＯＲＥＳＥＴの４つのシンボルについては、第３、第４、第５および第６のシンボルが占有され、スロット内の第２のＳＳＢに対応するＣＯＲＥＳＥＴは、当該ＳＳＢが存在するスロットにマッピングされる。一実施形態では、ＣＯＲＥＳＥＴが１つのシンボルを占有する場合、ＣＯＲＥＳＥＴはＳＳＢが存在するスロットの第９のシンボルを占有し、ＣＯＲＥＳＥＴの２つのシンボルについては、第９および第１０のシンボルが占有され、ＣＯＲＥＳＥＴの３つのシンボルについては、第９、第１０および第１１のシンボルが占有され、ＣＯＲＥＳＥＴの４つのシンボルについては、第９、第１０、第１１および第１２のシンボルが占有され、ＳＳＢ以外のリソースが周波数領域において占有される。
【０１１８】
図１５（１０）の構成では、各ＣＯＲＥＳＥＴは１つまたは２つまたは３つまたは４つのシンボルを占有し、ＦＤＭの多重化態様がＣＯＲＥＳＥＴおよび対応するＳＳＢに用いられ、すなわち、スロット内の第１のＳＳＢに対応するＣＯＲＥＳＥＴは当該ＳＳＢが存在するスロットにマッピングされる。一実施形態では、ＣＯＲＥＳＥＴが１つのシンボルを占有する場合、ＣＯＲＥＳＥＴはＳＳＢが存在するスロットの第３のシンボルを占有し、ＣＯＲＥＳＥＴの２つのシンボルについては、第３および第４のシンボルが占有され、ＣＯＲＥＳＥＴの３つのシンボルについては、第３、第４および第５のシンボルが占有され、ＣＯＲＥＳＥＴの４つのシンボルについては、第３、第４、第５および第６のシンボルが占有され、スロット内の第２のＳＳＢに対応するＣＯＲＥＳＥＴは、５ｍｓのＳＳＢ時間ウィンドウの外部のスロットにマッピングされる。一実施形態では、ＣＯＲＥＳＥＴが１つのシンボルを占有する場合、ＣＯＲＥＳＥＴはＳＳＢが存在するスロットの第３のシンボルを占有し、ＣＯＲＥＳＥＴの２つのシンボルについては、第３および第４のシンボルが占有され、ＣＯＲＥＳＥＴの３つのシンボルについては、第３、第４および第５のシンボルが占有され、ＣＯＲＥＳＥＴの４つのシンボルについては、第３、第４、第５および第６のシンボルが占有される。ＳＳＢに対応する周波数領域リソース以外のリソースが周波数領域において占有される。
【０１１９】
下位実現態様４．２：
図１４の（ｂ）に示される３０ｋＨｚ（パターン１）または１２０ｋＨｚの同期信号ブロックのマッピングについては、２つのスロットおよび４つのＳＳＢを周期としてマッピングリソース構成が行なわれる。図１６は本実施形態に係るスロット内のＣＯＲＥＳＥＴが占有するシンボルの位置情報の概略図ＩＩである。図１６に示されるように、ＣＯＲＥＳＥＴが占有するシンボルの位置情報は、ＳＳＢから始まる矢印がそれに対応するＣＯＲＥＳＥＴを指すことを含む。
【０１２０】
図１６（１）の構成では、各ＣＯＲＥＳＥＴは１つのシンボルを占有し、第１のＳＳＢのＣＯＲＥＳＥＴは前半のスロット内の第３のシンボルを占有し、第２のＳＳＢのＣＯＲＥＳＥＴは前半のスロット内の第４のシンボルを占有し、第３のＳＳＢのＣＯＲＥＳＥＴは後半のスロット内の第１のシンボルを占有し、第４のＳＳＢのＣＯＲＥＳＥＴは後半のスロット内の第２のシンボルを占有する。
【０１２１】
図１６（２）の構成では、各ＣＯＲＥＳＥＴは１つのシンボルを占有し、第１のＳＳＢのＣＯＲＥＳＥＴは前半のスロット内の第３のシンボルを占有し、第２のＳＳＢのＣＯＲＥＳＥＴは前半のスロット内の第４のシンボルを占有し、第３のＳＳＢのＣＯＲＥＳＥＴは５ｍｓのＳＳＢ時間ウィンドウの外部のスロット内の第３のシンボルを占有し、第４のＳＳＢのＣＯＲＥＳＥＴは５ｍｓのＳＳＢ時間ウィンドウの外部のスロット内の第４のシンボルを占有し、「第１のＳＳＢのＣＯＲＥＳＥＴと第３のＳＳＢのＣＯＲＥＳＥＴとの間隔」は「第２のＳＳＢのＣＯＲＥＳＥＴと第４のＳＳＢのＣＯＲＥＳＥＴとの間隔」に等しく、たとえば当該間隔は５ｍｓに等しい。
【０１２２】
図１６（３）の構成では、各ＣＯＲＥＳＥＴは１つのシンボルを占有し、第１のＳＳＢのＣＯＲＥＳＥＴは前半のスロット内の第４のシンボルを占有し、第２のＳＳＢのＣＯＲＥＳＥＴは５ｍｓのＳＳＢ時間ウィンドウの外部のスロットの第４のシンボルを占有し、第３のＳＳＢのＣＯＲＥＳＥＴは後半のスロット内の第４のシンボルを占有し、第４のＳＳＢのＣＯＲＥＳＥＴは５ｍｓのＳＳＢ時間ウィンドウの外部のスロット内の第２のシンボルを占有し、「第１のＳＳＢのＣＯＲＥＳＥＴと第３のＳＳＢのＣＯＲＥＳＥＴとの間隔」は「第２のＳＳＢのＣＯＲＥＳＥＴと第４のＳＳＢのＣＯＲＥＳＥＴとの間隔」に等しく、たとえば当該間隔は５ｍｓに等しい。
【０１２３】
図１６（４）の構成では、各ＣＯＲＥＳＥＴは１つのシンボルを占有し、ＣＯＲＥＳＥＴは第１のスロット内の最初の４つのシンボルにそれぞれマッピングされる。一実施形態では、第１のＳＳＢのＣＯＲＥＳＥＴは前半のスロット内の第１のシンボルを占有し、第２のＳＳＢのＣＯＲＥＳＥＴは前半のスロット内の第２のシンボルを占有し、第３のＳＳＢのＣＯＲＥＳＥＴは前半のスロット内の第３のシンボルを占有し、第４のＳＳＢのＣＯＲＥＳＥＴは前半のスロット内の第４のシンボルを占有する。
【０１２４】
図１６（５）の構成では、各ＣＯＲＥＳＥＴは２つのシンボルを占有し、第１のＳＳＢのＣＯＲＥＳＥＴは前半のスロット内の第１および第２のシンボルを占有し、第２のＳＳＢのＣＯＲＥＳＥＴは前半のスロット内の第３および第４のシンボルを占有し、第３のＳＳＢのＣＯＲＥＳＥＴは５ｍｓのＳＳＢ時間ウィンドウの外部のスロット内の第１および第２のシンボルを占有し、第４のＳＳＢのＣＯＲＥＳＥＴは５ｍｓのＳＳＢ時間ウィンドウの外部のスロット内の第３および第４のシンボルを占有し、「第１のＳＳＢのＣＯＲＥＳＥＴと第３のＳＳＢのＣＯＲＥＳＥＴとの時間領域間隔」は「第２のＳＳＢのＣＯＲＥＳＥＴと第４のＳＳＢのＣＯＲＥＳＥＴとの時間領域間隔」に等しく、たとえば当該間隔は５ｍｓに等しい。
【０１２５】
図１６（６）の構成では、各ＣＯＲＥＳＥＴは２つのシンボルを占有し、第１のＳＳＢのＣＯＲＥＳＥＴは前半のスロット内の第３および第４のシンボルを占有し、第２のＳＳＢのＣＯＲＥＳＥＴは後半のスロット内の第１および第２のシンボルを占有し、第３のＳＳＢのＣＯＲＥＳＥＴは５ｍｓのＳＳＢ時間ウィンドウの外部のスロット内の第３および第４のシンボルを占有し、第４のＳＳＢのＣＯＲＥＳＥＴは５ｍｓのＳＳＢ時間ウィンドウの外部のスロット内の第１および第２のシンボルを占有し、「第１のＳＳＢのＣＯＲＥＳＥＴと第３のＳＳＢのＣＯＲＥＳＥＴとの時間領域間隔」は「第２のＳＳＢのＣＯＲＥＳＥＴと第４のＳＳＢのＣＯＲＥＳＥＴとの時間領域間隔」に等しく、たとえば当該間隔は５ｍｓに等しい。
【０１２６】
図１６（７）の構成では、各ＣＯＲＥＳＥＴは２つのシンボルを占有し、第１のＳＳＢのＣＯＲＥＳＥＴは前半のスロット内の第１および第２のシンボルを占有し、第２のＳＳＢのＣＯＲＥＳＥＴは前半のスロット内の第３および第４のシンボルを占有し、第３のＳＳＢのＣＯＲＥＳＥＴは後半のスロット内の第１および第２のシンボルを占有し、第４のＳＳＢのＣＯＲＥＳＥＴは５ｍｓのＳＳＢ時間ウィンドウの外部のスロット内の第１および第２のシンボルを占有し、「第１のＳＳＢのＣＯＲＥＳＥＴと第４のＳＳＢのＣＯＲＥＳＥＴとの時間領域間隔」は５ｍｓに等しい。
【０１２７】
図１６（８）の構成では、各ＣＯＲＥＳＥＴは２つのシンボルを占有し、第１のＳＳＢのＣＯＲＥＳＥＴは前半のスロット内の第１および第２のシンボルを占有し、第２のＳＳＢのＣＯＲＥＳＥＴは前半のスロット内の第３および第４のシンボルを占有し、第３のＳＳＢのＣＯＲＥＳＥＴは前半のスロット内の第１および第２のシンボルを占有し、第４のＳＳＢのＣＯＲＥＳＥＴは５ｍｓのＳＳＢ時間ウィンドウの外部のスロット内の第１および第２のシンボルを占有し、「第２のＳＳＢのＣＯＲＥＳＥＴと第４のＳＳＢのＣＯＲＥＳＥＴとの時間領域間隔」は５ｍｓに等しく、または「第３のＳＳＢのＣＯＲＥＳＥＴと第４のＳＳＢのＣＯＲＥＳＥＴとの時間領域間隔」は５ｍｓに等しい。
【０１２８】
図１６（９）の構成では、各ＣＯＲＥＳＥＴは１つまたは２つまたは３つまたは４つのシンボルを占有し、ＦＤＭの多重化態様がＣＯＲＥＳＥＴおよび対応するＳＳＢに用いられ、すなわち、以下の通りである。
【０１２９】
第１のＳＳＢに対応するＣＯＲＥＳＥＴは当該ＳＳＢが存在するスロットにマッピングされる。一実施形態では、ＣＯＲＥＳＥＴが１つのシンボルを占有する場合、ＣＯＲＥＳＥＴはＳＳＢが存在するスロットの第５のシンボルを占有し、ＣＯＲＥＳＥＴの２つのシンボルについては、第５および第６のシンボルが占有され、ＣＯＲＥＳＥＴの３つのシンボルについては、第５、第６および第７のシンボルが占有され、ＣＯＲＥＳＥＴの４つのシンボルについては、第５、第６、第７および第８のシンボルが占有され、ＳＳＢ以外のリソースが周波数領域において占有される。
【０１３０】
第２のＳＳＢに対応するＣＯＲＥＳＥＴは当該ＳＳＢが存在するスロットにマッピングされる。一実施形態では、ＣＯＲＥＳＥＴが１つのシンボルを占有する場合、ＣＯＲＥＳＥＴはＳＳＢが存在するスロットの第９のシンボルを占有し、ＣＯＲＥＳＥＴの２つのシンボルについては、第９および第１０のシンボルが占有され、ＣＯＲＥＳＥＴの３つのシンボルについては、第９、第１０および第１１のシンボルが占有され、ＣＯＲＥＳＥＴの４つのシンボルについては、第９、第１０、第１１および第１２のシンボルが占有され、ＳＳＢ以外のリソースが周波数領域において占有される。
【０１３１】
第３のＳＳＢに対応するＣＯＲＥＳＥＴは当該ＳＳＢが存在するスロットにマッピングされる。一実施形態では、ＣＯＲＥＳＥＴが１つのシンボルを占有する場合、ＣＯＲＥＳＥＴはＳＳＢが存在するスロットの第３のシンボルを占有し、ＣＯＲＥＳＥＴの２つのシンボルについては、第３および第４のシンボルが占有され、ＣＯＲＥＳＥＴの３つのシンボルについては、第３、第４および第５のシンボルが占有され、ＣＯＲＥＳＥＴの４つのシンボルについては、第３、第４、第５および第６のシンボルが占有され、ＳＳＢ以外のリソースが周波数領域において占有される。
【０１３２】
第４のＳＳＢに対応するＣＯＲＥＳＥＴは当該ＳＳＢが存在するスロットにマッピングされる。一実施形態では、ＣＯＲＥＳＥＴが１つのシンボルを占有する場合、ＣＯＲＥＳＥＴはＳＳＢが存在するスロットの第７のシンボルを占有し、ＣＯＲＥＳＥＴの２つのシンボルについては、第７および第８のシンボルが占有され、ＣＯＲＥＳＥＴの３つのシンボルについては、第７、第８および第９のシンボルが占有され、ＣＯＲＥＳＥＴの４つのシンボルについては、第７、第８、第９および第１０のシンボルが占有され、ＳＳＢ以外のリソースが周波数領域において占有される。
【０１３３】
図１６（１０）の構成では、各ＣＯＲＥＳＥＴは１つまたは２つまたは３つまたは４つのシンボルを占有し、ＦＤＭの多重化態様がＣＯＲＥＳＥＴおよび対応するＳＳＢに用いられ、すなわち、以下の通りである。
【０１３４】
第１のＳＳＢに対応するＣＯＲＥＳＥＴは当該ＳＳＢが存在するスロットにマッピングされる。一実施形態では、ＣＯＲＥＳＥＴが１つのシンボルを占有する場合、ＣＯＲＥＳＥＴはＳＳＢが存在するスロットの第５のシンボルを占有し、ＣＯＲＥＳＥＴの２つのシンボルについては、第５および第６のシンボルが占有され、ＣＯＲＥＳＥＴの３つのシンボルについては、第５、第６および第７のシンボルが占有され、ＣＯＲＥＳＥＴの４つのシンボルについては、第５、第６、第７および第８のシンボルが占有され、ＳＳＢ以外のリソースが周波数領域において占有される。
【０１３５】
第２のＳＳＢに対応するＣＯＲＥＳＥＴは５ｍｓの時間ウィンドウの外部のスロットにマッピングされる。一実施形態では、ＣＯＲＥＳＥＴが１つのシンボルを占有する場合、ＣＯＲＥＳＥＴは第５のシンボルを占有し、ＣＯＲＥＳＥＴの２つのシンボルについては、第５および第６のシンボルが占有され、ＣＯＲＥＳＥＴの３つのシンボルについては、第５、第６および第７のシンボルが占有され、ＣＯＲＥＳＥＴの４つのシンボルについては、第５、第６、第７および第８のシンボルが占有され、ＳＳＢに対応する周波数領域リソース以外のリソースが周波数領域において占有される。また、「第１のＳＳＢのＣＯＲＥＳＥＴと第３のＳＳＢのＣＯＲＥＳＥＴとの間隔」は５ｍｓに等しい。
【０１３６】
第３のＳＳＢに対応するＣＯＲＥＳＥＴは当該ＳＳＢが存在するスロットにマッピングされる。一実施形態では、ＣＯＲＥＳＥＴが１つのシンボルを占有する場合、ＣＯＲＥＳＥＴはＳＳＢが存在するスロットの第３のシンボルを占有し、ＣＯＲＥＳＥＴの２つのシンボルについては、第３および第４のシンボルが占有され、ＣＯＲＥＳＥＴの３つのシンボルについては、第３、第４および第５のシンボルが占有され、ＣＯＲＥＳＥＴの４つのシンボルについては、第３、第４、第５および第６のシンボルが占有され、ＳＳＢ以外のリソースが周波数領域において占有される。
【０１３７】
第４のＳＳＢに対応するＣＯＲＥＳＥＴは５ｍｓの時間ウィンドウの外部のスロットにマッピングされる。一実施形態では、ＣＯＲＥＳＥＴが１つのシンボルを占有する場合、ＣＯＲＥＳＥＴは第７のシンボルを占有し、ＣＯＲＥＳＥＴの２つのシンボルについては、第７および第８のシンボルが占有され、ＣＯＲＥＳＥＴの３つのシンボルについては、第７、第８および第９のシンボルが占有され、ＣＯＲＥＳＥＴの４つのシンボルについては、第７、第８、第９および第１０のシンボルが占有され、ＳＳＢに対応する周波数領域リソース以外のリソースが周波数領域において占有される。また、「第２のＳＳＢのＣＯＲＥＳＥＴと第４のＳＳＢのＣＯＲＥＳＥＴとの間隔」は５ｍｓに等しい。
【０１３８】
下位実現態様４．３：
ＣＯＲＥＳＥＴがＳＳＢの外部のスロットにのみマッピングされる場合、図１７は本実施形態に係るＣＯＲＥＳＥＴがＳＳＢの外部のスロットにマッピングされる概略図Ｉであり、図１８は本実施形態に係るＣＯＲＥＳＥＴがＳＳＢの外部のスロットにマッピングされる概略図ＩＩである。図１７および図１８に示されるように、スロット内のＣＯＲＥＳＥＴが占有するシンボルの位置情報は以下の１つ以上を含む。
【０１３９】
図１７（１）の構成では、スロットは２つのＣＯＲＥＳＥＴを含み、ＣＯＲＥＳＥＴの各々は１つのシンボルを占有し、ＣＯＲＥＳＥＴはスロット内の第１および第２のシンボル上にそれぞれ存在する。
【０１４０】
図１７（２）の構成では、スロットは２つのＣＯＲＥＳＥＴを含み、ＣＯＲＥＳＥＴの各々は２つのシンボルを占有する。一実施形態では、一方のＣＯＲＥＳＥＴはスロット内の第１および第２のシンボルにマッピングされ、他方のＣＯＲＥＳＥＴはスロット内の第３および第４のシンボルにマッピングされる。
【０１４１】
図１７（３）の構成では、スロットは２つのＣＯＲＥＳＥＴを含み、ＣＯＲＥＳＥＴの各々は１つのシンボルを占有し、ＣＯＲＥＳＥＴはスロット内の第１および第８のシンボル上にそれぞれ存在する。
【０１４２】
図１７（４）の構成では、スロットは２つのＣＯＲＥＳＥＴを含み、ＣＯＲＥＳＥＴの各々は２つのシンボルを占有する。一実施形態では、一方のＣＯＲＥＳＥＴはスロット内の第１および第２のシンボルにマッピングされ、他方のＣＯＲＥＳＥＴはスロット内の第８および第９のシンボルにマッピングされる。
【０１４３】
図１７（５）の構成では、スロットは２つのＣＯＲＥＳＥＴを含み、ＣＯＲＥＳＥＴの各々は１つのシンボルを占有し、ＣＯＲＥＳＥＴはスロット内の第３および第９のシンボル上にそれぞれ存在する。
【０１４４】
図１７（６）の構成では、スロットは２つのＣＯＲＥＳＥＴを含み、ＣＯＲＥＳＥＴの各々は２つのシンボルを占有する。一実施形態では、一方のＣＯＲＥＳＥＴはスロット内の第３および第４のシンボルにマッピングされ、他方のＣＯＲＥＳＥＴはスロット内の第９および第１０のシンボルにマッピングされる。
【０１４５】
図１７（７）の構成では、スロットは１つのＣＯＲＥＳＥＴを含み、ＣＯＲＥＳＥＴは１つのシンボルを占有する。一実施形態では、ＣＯＲＥＳＥＴはスロット内の第１のシンボルにマッピングされる。
【０１４６】
図１７（８）の構成では、スロットは１つのＣＯＲＥＳＥＴを含み、ＣＯＲＥＳＥＴは２つのシンボルを占有する。一実施形態では、ＣＯＲＥＳＥＴはスロット内の第１および第２のシンボルにマッピングされる。
【０１４７】
図１８（１）の構成では、２つのスロットが構成周期として用いられ、４つのＣＯＲＥＳＥＴが含まれており、各ＣＯＲＥＳＥＴは１つのシンボルを含む。第１のＣＯＲＥＳＥＴは前半のスロットの第５のシンボルにマッピングされ、第２のＣＯＲＥＳＥＴは前半のスロットの第９のシンボルにマッピングされ、第３のＣＯＲＥＳＥＴは後半のスロットの第３のシンボルにマッピングされ、第４のＣＯＲＥＳＥＴは後半のスロットの第７のシンボルにマッピングされる。
【０１４８】
図１８（２）の構成では、２つのスロットが構成周期として用いられ、４つのＣＯＲＥＳＥＴが含まれており、各ＣＯＲＥＳＥＴは２つのシンボルを含む。第１のＣＯＲＥＳＥＴは前半のスロットの第５および第６のシンボルにマッピングされ、第２のＣＯＲＥＳＥＴは前半のスロットの第９および第１０のシンボルにマッピングされ、第３のＣＯＲＥＳＥＴは後半のスロットの第３および第４のシンボルにマッピングされ、第４のＣＯＲＥＳＥＴは後半のスロットの第７および第８のシンボルにマッピングされる。
【０１４９】
上記の構成では、スロット内の現在用いられているＣＯＲＥＳＥＴが占有するシンボルの位置が、以下の態様によって端末に対して示され得る。
【０１５０】
実現態様１で説明したＣＯＲＥＳＥＴ帯域幅構成によると、端末は現在のＣＯＲＥＳＥＴの帯域幅を求めることができ、ＣＯＲＥＳＥＴ帯域幅が最小チャネル帯域幅を取る場合は、帯域幅値が比較的小さいので、ＣＯＲＥＳＥＴおよびＳＳＢについて時分割多重化の態様が好ましい。
【０１５１】
逆に、ＣＯＲＥＳＥＴ帯域幅がより大きい値、すなわち最小ＵＥ帯域幅を取る場合は、ＣＯＲＥＳＥＴおよびＳＳＢについて周波数分割多重化の態様が好ましい。
【０１５２】
さらに、実現態様３で説明した態様によると、端末はＣＯＲＥＳＥＴが存在するスロットの情報を求めることができる。
【０１５３】
以下の３つの表、すなわち表１、表２および表３が定義される。
表１は、ＣＯＲＥＳＥＴ帯域幅が「最小チャネル帯域幅」として構成され、ＣＯＲＥＳＥＴが存在するスロットの情報が「制御リソースセットは同期信号ブロックを含むスロットで送信される」である場合に適用可能であり、ＰＢＣＨにおいて、特に３ビットが表１における８個の構成のどれが用いられているかを端末に対して示す。
【０１５４】
表２は、ＣＯＲＥＳＥＴ帯域幅がより大きい値、すなわち「最小ＵＥ帯域幅」を取り、ＣＯＲＥＳＥＴが存在するスロットの情報が「制御リソースセットは同期信号ブロックを含むスロットで送信される」である場合に適用可能であり、ＰＢＣＨにおいて、特に３ビットが表２における８個の構成のどれが用いられているかを端末に対して示す。
【０１５５】
表３は、ＣＯＲＥＳＥＴが存在するスロットの情報が「制御リソースセットは同期信号ブロックを含まないスロットで送信される」であるか、またはＣＯＲＥＳＥＴのサブキャリア間隔と同期信号ブロックのサブキャリア間隔とが異なり、そしてＣＯＲＥＳＥＴと同期信号ブロックとが異なる帯域幅部分（Bandwidth Part：ＢＷＰ）に属する場合に適用可能であり、ＰＢＣＨにおいて、特に３ビットが表３における８個の構成のどれが用いられているかを端末に対して示す。
【０１５６】
【表１】
2021503853.tif 000003
【０１５７】
【表２】
2021503853.tif 000004
【０１５８】
【表３】
2021503853.tif 000005
【０１５９】
実現態様５：
本実現態様では、ＣＯＲＥＳＥＴモニタリングウィンドウ（ＰＤＣＣＨモニタリングウィンドウ）構成情報の表示態様を説明する。
【０１６０】
ＣＯＲＥＳＥＴモニタリングウィンドウ構成情報は、以下の情報、すなわち、ＣＯＲＥＳＥＴのモニタリング周期、モニタリングウィンドウの開始位置、モニタリングウィンドウの時間領域継続期間、および隣接するモニタリングウィンドウ同士の間の時間領域オフセット、の少なくとも１つを含む。
【０１６１】
ＣＯＲＥＳＥＴモニタリングウィンドウは物理下りリンク制御チャネルＰＤＣＣＨモニタリングウィンドウとも称され、各モニタリングウィンドウは同期信号ブロックに対応し、ＣＯＲＥＳＥＴのモニタリングウィンドウは１度以上のＣＯＲＥＳＥＴモニタリング機会、すなわちＰＤＣＣＨを送信するための１つ以上のリソースを含む。基地局は、ＰＤＣＣＨ送信のためにＣＯＲＥＳＥＴモニタリングウィンドウ内の１つのＰＤＣＣＨ送信リソースを選択し、端末は、ＣＯＲＥＳＥＴモニタリングウィンドウ内の１つ以上のＰＤＣＣＨ送信リソース上の同期信号ブロックに対応するＰＤＣＣＨの受信を試み得る。同期信号ブロックと対応するモニタリングウィンドウ内のＣＯＲＥＳＥＴまたはＰＤＣＣＨとの間には疑似コロケーション（Quasi-co-location：ＱＣＬ）関係がある。
【０１６２】
ＣＯＲＥＳＥＴのモニタリング周期はＣＯＲＥＳＥＴの送信周期と理解してもよく、当該周期の値はたとえば４０ｍｓと予め定義されていてもよい。２０ｍｓ、４０ｍｓなど、複数のモニタリング周期の値をプロトコルに予め定義しておくこともでき、ＰＢＣＨにおいて、現在のキャリアのモニタリング周期の特定の値は１ビットによって示される。
【０１６３】
ＣＯＲＥＳＥＴのモニタリングウィンドウの開始位置は第１のＣＯＲＥＳＥＴモニタリングウィンドウの時間領域開始位置を指し、２０ｍｓのＣＯＲＥＳＥＴ送信周期を例に取ると、ＣＯＲＥＳＥＴが同期信号ブロックを含むスロットで送信される場合、モニタリングウィンドウのＣＯＲＥＳＥＴ開始位置は予め定義されている。図１９は本実施形態に係るＣＯＲＥＳＥＴが同期信号ブロックを含むスロットで送信される概略図であり、図１９に示されるように、ＣＯＲＥＳＥＴのモニタリングウィンドウの開始位置はＳＦＮ  ｍｏｄ  ２＝０の無線フレームの開始点である。
【０１６４】
ＣＯＲＥＳＥＴが同期信号ブロックを含まないスロットで送信される場合、モニタリングウィンドウのＣＯＲＥＳＥＴ開始位置は予め定義されている。図２０は本実施形態に係るＣＯＲＥＳＥＴが同期信号ブロックを含まないスロットで送信される概略図であり、図２０に示されるように、ＣＯＲＥＳＥＴのモニタリングウィンドウの開始位置はＳＦＮ  ｍｏｄ  ２＝０の無線フレームの第６のサブフレーム（すなわち第２のハーフフレーム）である。
【０１６５】
ＣＯＲＥＳＥＴが同期信号ブロックを含むスロットで送信され、かつ同期信号ブロックを含まないスロットでも送信される場合、図２１は、本実施形態に係るＣＯＲＥＳＥＴが同期信号ブロックを含むスロットで送信され、かつ同期信号ブロックを含まないスロットでも送信される概略図である（図２１に示されるように、同期信号ブロックが存在するスロットで送信されるＣＯＲＥＳＥＴについては、そのモニタリングウィンドウの開始位置はＳＦＮ  ｍｏｄ  ２＝０の無線フレームの開始位置であり、同期信号ブロックを含まないスロットで送信されるＣＯＲＥＳＥＴについては、そのモニタリングウィンドウの開始位置はＳＦＮ  ｍｏｄ  ２＝０の無線フレームの第６のサブフレーム（すなわち第２のハーフフレーム）である）。
【０１６６】
ＣＯＲＥＳＥＴのモニタリングウィンドウの時間領域継続期間は１つ以上のスロットである。たとえば、モニタリングウィンドウの時間領域継続期間は、１スロット、２スロット、４スロット、またはＭ個のスロット、の１つ以上であり、Ｍは同期信号ブロック送信周期内の同期信号ブロックが占有するスロットの数である。
【０１６７】
ＣＯＲＥＳＥＴが同期が存在するスロットで送信される場合、モニタリングウィンドウの時間領域継続期間は１スロットであり、ＣＯＲＥＳＥＴが同期信号ブロックを含まないスロットで送信される場合、モニタリングウィンドウの時間領域継続期間は１つ以上のスロットであり得る。
【０１６８】
ＰＢＣＨのＣＯＲＥＳＥＴ構成情報表示欄に表示ビットが挿入されて、現在のキャリアのＣＯＲＥＳＥＴモニタリングウィンドウの時間領域継続期間が端末に対して示され得る。たとえば、表示のために２ビットが用いられ、「００」は「モニタリングウィンドウの時間領域継続期間は１スロットである」ことを表わし、「０１」は「モニタリングウィンドウの時間領域継続期間は２スロットである」ことを表わし、「１０」は「モニタリングウィンドウの時間領域継続期間はＭ個のスロットである」ことを表わし、「１１」は「状態保存」を表わす。
【０１６９】
あるいは、ＣＯＲＥＳＥＴモニタリングウィンドウの上記の４タイプの時間領域継続期間のいずれか２つのみが含まれていることがプロトコルに規定されており、ＰＢＣＨに１ビットがさらに用いられて、現在のキャリアにどの構成が特に用いられているかが示される。たとえば、「０」は「モニタリングウィンドウの時間領域継続期間は１スロットである」ことを表わし、「１」は「モニタリングウィンドウの時間領域継続期間は２スロットである」ことを表わす。
【０１７０】
あるいは、ＣＯＲＥＳＥＴモニタリングウィンドウの時間領域継続期間は以下の３つのタイプ、すなわち、１スロット、２スロット、および４スロット、の１つで構成され得ることがプロトコルに規定されており、ＣＯＲＥＳＥＴモニタリングウィンドウの時間領域送信リソースとモニタリングウィンドウの時間領域継続期間とが共に示され、合計２ビットが占有され、たとえば、
「００」：ＣＯＲＥＳＥＴはＳＳ／ＰＢＣＨブロックを含むスロットで送信され、ＣＯＲＥＳＥＴモニタリングウィンドウの長さは１スロットに等しく、
「０１」：ＣＯＲＥＳＥＴはＳＳ／ＰＢＣＨブロックを含まないスロットで送信され、ＣＯＲＥＳＥＴモニタリングウィンドウの長さは１スロットに等しく、
「１０」：ＣＯＲＥＳＥＴはＳＳ／ＰＢＣＨブロックを含まないスロットで送信され、ＣＯＲＥＳＥＴモニタリングウィンドウの長さは２スロットに等しく、
「１１」：ＣＯＲＥＳＥＴはＳＳ／ＰＢＣＨブロックを含まないスロットで送信され、ＣＯＲＥＳＥＴモニタリングウィンドウの長さは４スロットに等しく、
隣接するモニタリングウィンドウ同士の間の時間領域オフセットは、０、モニタリングウィンドウの時間領域継続期間、およびモニタリングウィンドウの時間領域継続期間の１／Ｘ、の１つ以上を含み、Ｘは１よりも大きい整数であり、その値はプロトコルに予め定義されていてもよいしシグナリングによって示されてもよい。
【０１７１】
図２２は本実施形態に係るＣＯＲＥＳＥＴが同期信号ブロックが存在するスロットで送信される概略図である。図２２に示されるように、ＣＯＲＥＳＥＴが同期信号ブロックが存在するスロットで送信され、ＣＯＲＥＳＥＴおよび対応するＳＳＢが周波数分割多重化されて送信される場合、モニタリングウィンドウの時間領域継続期間は１スロットであり、隣接するモニタリングウィンドウ同士の間の時間領域オフセットはモニタリングウィンドウの時間領域継続期間に等しく、すなわち１スロットである。この場合、隣接するモニタリングウィンドウ同士は重なり合っていない。図２２では、含まれている８個の同期信号ブロックを同期信号および物理報知チャネルを送信するためのリソースとして用いることができ、基地局はそれらの一部またはすべてを実際に送信される同期信号ブロック（実際のＳＳＢ）として選択することができる。
【０１７２】
図２３は本実施形態に係るＣＯＲＥＳＥＴが同期信号ブロックを含まないスロットで送信される概略図Ｉである。図２３では、ＣＯＲＥＳＥＴは同期信号ブロックを含まないスロットで、すなわち同期信号ブロックが存在する無線フレームの第２のハーフフレームで送信され、モニタリングウィンドウの時間領域継続期間は１スロットであり、隣接するモニタリングウィンドウ同士の間の時間領域オフセットはモニタリングウィンドウの時間領域継続期間に等しく、すなわち１スロットである。この場合、隣接するモニタリングウィンドウ同士は重なり合っていない。図２３の破線ブロックは疑似同期信号ブロック（疑似ＳＳＢ）であり、ＣＯＲＥＳＥＴの送信もこれらの疑似同期信号ブロックを回避し、スロット内のＣＯＲＥＳＥＴが占有するリソースは図２２のリソースと同じである。この構成の利点は、同期信号ブロックの送信周期が５ｍｓである場合、次の周期の同期信号ブロックもＣＯＲＥＳＥＴが存在するスロットで送信されることであり、ＣＯＲＥＳＥＴの送信は同期信号ブロックを送信するためのリソースを回避するため、同期信号ブロックの送信周期が５ｍｓであっても、それら２つの間に衝突がないことである。端末は現在のキャリアの実際の同期信号ブロック送信周期を知る必要はない。
【０１７３】
図２４は本実施形態に係るＣＯＲＥＳＥＴが同期信号ブロックを含まないスロットで送信される概略図ＩＩである。図２４に示されるように、ＣＯＲＥＳＥＴは同期信号ブロックを含まないスロットで、すなわち同期信号ブロックが存在する無線フレームの第２のハーフフレームで送信され、モニタリングウィンドウの時間領域継続期間は２スロットであり、隣接するモニタリングウィンドウ同士の間の時間領域オフセットはモニタリングウィンドウの時間領域継続期間の１／２に等しく、すなわち１スロットである。そして、隣接するモニタリングウィンドウ同士は部分的に重なり合っている。一実施形態では、同期信号ブロックが存在するスロット１内の第２の同期信号ブロックは実際に送信され、この同期信号ブロックはモニタリングウィンドウ１、すなわち第２のハーフフレームの第２および第３のスロットに対応し、これら２つのスロットは４つのＣＯＲＥＳＥＴ送信リソースを含み、基地局はそれらの１つを選択して同期信号ブロックに対応するＣＯＲＥＳＥＴを送信する。同様に、スロット２内の第１の同期信号ブロックは実際に送信され、これはモニタリングウィンドウ２、すなわち第３および第４のスロットに対応し、基地局はこれら２スロット内のＣＯＲＥＳＥＴ送信リソースの１つを選択してこの同期信号ブロックに対応するＣＯＲＥＳＥＴを送信する。
【０１７４】
なお、異なる同期信号ブロックに対応するＣＯＲＥＳＥＴは同じＣＯＲＥＳＥＴ送信リソースを占有することはできない。したがって、ＣＯＲＥＳＥＴ送信リソースがその後の同期信号ブロックについて対応するモニタリングウィンドウ内で選択された場合、占有されているＣＯＲＥＳＥＴ送信リソースを回避する必要がある。
【０１７５】
図２５は本実施形態に係るすべての同期信号ブロックが同じＣＯＲＥＳＥＴモニタリングウィンドウに対応する概略図である。図２５に示されるように、すべての同期信号ブロックが同じＣＯＲＥＳＥＴモニタリングウィンドウに対応する。一実施形態では、同期信号ブロックを含む４スロットは８個の同期信号ブロックリソースを含み、この場合、同期信号ブロックのうちの２つのみが送信され、８個の同期信号ブロックは同じＣＯＲＥＳＥＴモニタリングウィンドウに対応し、モニタリングウィンドウは８個のＣＯＲＥＳＥＴ送信リソースを含み、端末については、どの同期信号ブロックを受信するかにかかわらず、このモニタリングウィンドウ内の８回のＣＯＲＥＳＥＴモニタリング機会において対応するＣＯＲＥＳＥＴの受信を試みることが必要である。
【０１７６】
図２６は本実施形態に係る複数の同期信号ブロックが１つのＣＯＲＥＳＥＴモニタリングウィンドウに対応する概略図である。図２６に示されるように、複数の同期信号ブロックが１つのＣＯＲＥＳＥＴモニタリングウィンドウに対応する。一実施形態では、同期信号ブロックを含む４スロットが８個の同期信号ブロックリソースを含み、この場合、最初の４つの同期信号ブロックは実際に送信され、最初の２スロット内の４つの同期信号ブロックは（時間領域内の最初の２つの疑似同期信号ブロックに対応する）第１のＣＯＲＥＳＥＴモニタリングウィンドウに対応し、最後の２スロット内の４つの同期信号ブロックは（時間領域内の第３および第４の疑似同期信号ブロックに対応する）第２のＣＯＲＥＳＥＴモニタリングウィンドウに対応し、端末については、最初の４つのＳＳＢの１つを受信する場合は、モニタリングウィンドウ１内の８回のＣＯＲＥＳＥＴモニタリング機会において対応するＣＯＲＥＳＥＴの受信を試みることが必要であり、最後の４つのＳＳＢの１つを受信する場合は、モニタリングウィンドウ２内の８回のＣＯＲＥＳＥＴモニタリング機会において対応するＣＯＲＥＳＥＴの受信を試みることが必要である。
【０１７７】
ＰＢＣＨのＣＯＲＥＳＥＴ構成情報表示欄に表示ビットが挿入されて、現在のキャリアの隣接するＣＯＲＥＳＥＴモニタリングウィンドウ同士の間の時間領域オフセットが端末に対して示され得る。たとえば、表示のために２ビットが用いられ、「００」は「隣接するモニタリングウィンドウ同士の間の時間領域オフセットは０である」ことを表わし、「０１」は「隣接するモニタリングウィンドウ同士の間の時間領域オフセットはモニタリングウィンドウの長さである」ことを表わし、「１０」は「隣接するモニタリングウィンドウ同士の間の時間領域オフセットはモニタリングウィンドウの長さの１／Ｘである」ことを表わし、「１１」は「状態保存」を表わす。Ｘは１よりも大きい整数であり、その値はプロトコルに規定されていてもよいしシグナリングによって示されてもよい。
【０１７８】
上記の表示態様では、２ビットの表示オーバーヘッドを導入することが必要であり、このオーバーヘッドを減らすために、モニタリングウィンドウのさまざまな種類の時間領域継続期間に従って隣接するモニタリングウィンドウ同士の間の時間領域オフセットのタイプを制限することもできる。たとえば、モニタリングウィンドウの長さが１スロットである場合は、隣接するモニタリングウィンドウ同士の間の時間領域オフセットの可能性は２つしかないことが規定されており、隣接するモニタリングウィンドウ同士の間の時間領域オフセットはモニタリングウィンドウの長さである（すなわち、隣接するモニタリングウィンドウ同士は重なり合い、連続的に構成される）か、または隣接するモニタリングウィンドウ同士の間の時間領域オフセットはモニタリングウィンドウの時間領域継続期間の１／Ｘである（すなわち、隣接するモニタリングウィンドウ同士は部分的に重なり合う）。この場合、オフセット値を示すために必要なのは１ビットのみであり、たとえば、「０」は「隣接するモニタリングウィンドウ同士の間の時間領域オフセットはモニタリングウィンドウの長さである」ことを表わし、「１」は「隣接するモニタリングウィンドウ同士の間の時間領域オフセットはモニタリングウィンドウの長さの１／Ｘである」ことを表わす。同様に、Ｘは１よりも大きい整数であり、その値はプロトコルに規定されていてもよいしシグナリングによって示されてもよい。
【０１７９】
モニタリングウィンドウの長さが１スロットよりも大きい場合は、隣接するモニタリングウィンドウ同士の間の時間領域オフセットの可能性は２つしかないことが規定されており、隣接するモニタリングウィンドウ同士の間の時間領域オフセットは０である（すなわち、隣接するモニタリングウィンドウ同士は完全に重なり合う）か、または隣接するモニタリングウィンドウ同士の間の時間領域オフセットはモニタリングウィンドウの長さの１／Ｘである（すなわち、隣接するモニタリングウィンドウ同士は部分的に重なり合う）。この場合、オフセット値を示すために必要なのは１ビットのみであり、たとえば、「０」は「隣接するモニタリングウィンドウ同士の間の時間領域オフセットは０である」ことを表わし、「１」は「隣接するモニタリングウィンドウ同士の間の時間領域オフセットはモニタリングウィンドウの長さの１／Ｘである」ことを表わす。同様に、Ｘは１よりも大きい整数であり、その値はプロトコルに規定されていてもよいしシグナリングによって示されてもよい。
【０１８０】
本願では、それぞれの実現態様における技術的特徴は矛盾を生じさせずに１つの実現態様において組合せて用いられ得る。各実現態様は本願の最適な実現態様であるに過ぎない。
【０１８１】
本実施形態は共通の制御情報ブロック構成情報の送信方法を提供し、この解決策によって、ＰＢＣＨの組合された受信に影響を及ぼさずに制御リソースセットの時間および周波数領域リソース位置を効果的に示すことができる（すなわち、各ＳＳブロック内のＰＢＣＨ内容が同じであることが保証される）。また、制御リソースセットモニタリングウィンドウの時間領域継続期間と、隣接するＳＳブロックに対応するモニタリングウィンドウ同士の間の時間領域オフセットとを構成することによって、共通の制御ブロックの送信リソースの柔軟性が高まり、共通の制御ブロック送信に対するバーストトラフィック送信の影響がうまく回避される。
【０１８２】
実施形態４
本願の一実施形態は記憶媒体をさらに提供し、当該記憶媒体は格納されたプログラムを含み、上記のプログラムを走らせると上記のいずれか１つに記載の方法が実行される。
【０１８３】
本実施形態では、上記の記憶媒体は以下のステップＳ１およびステップＳ２を実行するためのプログラムコードを格納するように構成され得る。
【０１８４】
ステップＳ１において、制御リソースセットの構成情報が物理報知チャネル上で搬送され、構成情報を用いて、制御リソースセットの時間領域位置情報および周波数領域位置情報の少なくとも一方が端末に対して示される。
【０１８５】
ステップＳ２において、構成情報に従って制御リソースセットが端末に送信される。
一実施形態において、本実施形態では、上記の記憶媒体は、ＵＳＢフラッシュドライブ、読出専用メモリ（Read-Only Memory：ＲＯＭ）、ランダムアクセスメモリ（Random Access Memory：ＲＡＭ）、リムーバブルハードディスク、磁気ディスク、または光ディスクなど、プログラムコードを格納可能な任意の媒体を含み得るが、これらに限定されない。
【０１８６】
本願の一実施形態はプロセッサをさらに提供し、当該プロセッサはプログラムを走らせるように構成され、当該プログラムを走らせると上記の方法のいずれか１つに記載のステップが実行される。
【０１８７】
本実施形態では、上記のプログラムを用いて以下のステップＳ１およびステップＳ２が実行される。
【０１８８】
ステップＳ１において、制御リソースセットの構成情報が物理報知チャネル上で搬送され、構成情報を用いて、制御リソースセットの時間領域位置情報および周波数領域位置情報の少なくとも一方が端末に対して示される。
【０１８９】
ステップＳ２において、構成情報に従って制御リソースセットが端末に送信される。
一実施形態では、本実施形態における具体例は上記の実施形態および最適な実現態様で説明した例を指す場合があり、それは本明細書では重複して繰返さない。
【０１９０】
明らかに、当業者であれば、本願の上記の各モジュールまたは各ステップが汎用のコンピューティングデバイスによって実現され得ることを理解するはずであり、それらは単一のコンピューティングデバイス上に集中されてもよいし、複数のコンピューティングデバイスからなるネットワークを介して分散されてもよく、一実施形態ではそれらはコンピューティングデバイスの実行可能プログラムコードによって実現されてもよく、したがってそれらはコンピューティングデバイスによる実行のために記憶装置に格納されることができ、場合によっては、図示または説明したステップは本明細書中の順序とは異なる順序で実行されてもよく、またはそれらは個々の集積回路モジュールにそれぞれ組立てられてもよく、またはその複数のモジュールもしくはステップは単一の集積回路モジュールに組立てられることによって実現される。したがって、本開示はハードウェアおよびソフトウェアのいずれの具体的な組合せにも限定されない。
【図１】
2021503853.tif 000006
【図２】
2021503853.tif 000007
【図３】
2021503853.tif 000008
【図４】
2021503853.tif 000009
【図５】
2021503853.tif 000010
【図６】
2021503853.tif 000011
【図７】
2021503853.tif 000012
【図８】
2021503853.tif 000013
【図９】
2021503853.tif 000014
【図１０】
2021503853.tif 000015
【図１１】
2021503853.tif 000016
【図１２】
2021503853.tif 000017
【図１３】
2021503853.tif 000018
【図１４】
2021503853.tif 000019
【図１５】
2021503853.tif 000020
【図１６】
2021503853.tif 000021
【図１７】
2021503853.tif 000022
【図１８】
2021503853.tif 000023
【図１９】
2021503853.tif 000024
【図２０】
2021503853.tif 000025
【図２１】
2021503853.tif 000026
【図２２】
2021503853.tif 000027
【図２３】
2021503853.tif 000028
【図２４】
2021503853.tif 000029
【図２５】
2021503853.tif 000030
【図２６】
2021503853.tif 000031
【国際調査報告】
2021503853.tif 000032
2021503853.tif 000033
2021503853.tif 000034
2021503853.tif 000035